(57)【要約】  端末装置は、制御リソースセットにおいてＰＤＣＣＨをモニタする受信部と、前記ＰＤＣＣＨで送信されるＤＣＩフォーマットに含まれる上りリンクグラントに基づきスケジューリングされるＰＵＳＣＨを送信する送信部と、を備え、前記ＰＤＣＣＨは、１つまたは複数のＣＣＥ（Control Channel Element）から構成され、前記ＣＣＥは、６つのＲＥＧ（Resource Element Group）から構成され、前記ＲＥＧは１つのＯＦＤＭシンボルにおける、１つのＰＲＢから構成され、前記ＣＣＥは、周波数領域において非連続的にマッピングされる１つまたは複数のＲＥＧバンドルから構成され、前記ＲＥＧバンドルは、１つまたは複数の前記ＲＥＧから構成され、前記ＲＥＧバンドルを構成する前記ＲＥＧの周波数領域における数は、前記ＣＣＥのＯＦＤＭシンボルの数に対して個別に与えられる。
2018199240.tif 000002
【特許請求の範囲】
【請求項１】
制御リソースセットにおいてＰＤＣＣＨをモニタする受信部と、
前記ＰＤＣＣＨで送信されるＤＣＩフォーマットに含まれる上りリンクグラントに基づきスケジューリングされるＰＵＳＣＨを送信する送信部と、を備え、
前記ＰＤＣＣＨは、１つまたは複数のＣＣＥ（Control Channel Element）から構成され、
前記ＣＣＥは、６つのＲＥＧ（Resource Element Group）から構成され、前記ＲＥＧは１つのＯＦＤＭシンボルにおける、１つのＰＲＢから構成され、
前記ＣＣＥは、周波数領域において非連続的にマッピングされる１つまたは複数のＲＥＧバンドルから構成され、
前記ＲＥＧバンドルは、１つまたは複数の前記ＲＥＧから構成され、
前記ＲＥＧバンドルを構成する前記ＲＥＧの周波数領域における数は、前記ＣＣＥのＯＦＤＭシンボルの数に対して個別に与えられる
端末装置。
【請求項２】
前記ＲＥＧバンドルの時間領域におけるＲＥＧの数は、前記制御リソースセットを構成するＯＦＤＭシンボルの数に等しい
請求項１に記載の端末装置。
【請求項３】
第１の設定において、前記ＰＤＣＣＨが含まれる制御リソースセットにおいて適用されるプレコーダが同一であり、第２の設定において、前記ＲＥＧバンドル内において適用されるプレコーダが同一である
請求項１に記載の端末装置。
【請求項４】
制御リソースセットにおいてＰＤＣＣＨを送信する送信部と、
前記ＰＤＣＣＨで送信されるＤＣＩフォーマットに含まれる上りリンクグラントに基づきスケジューリングされるＰＵＳＣＨを受信する受信部と、を備え、
前記ＰＤＣＣＨは、１つまたは複数のＣＣＥ（Control Channel Element）から構成され、
前記ＣＣＥは、６つのＲＥＧ（Resource Element Group）から構成され、前記ＲＥＧは１つのＯＦＤＭシンボルにおける、１つのＰＲＢから構成され、
前記ＣＣＥは、周波数領域において非連続的にマッピングされる１つまたは複数のＲＥＧバンドルから構成され、
前記ＲＥＧバンドルは、１つまたは複数の前記ＲＥＧから構成され、
前記ＲＥＧバンドルを構成する前記ＲＥＧの周波数領域における数は、前記ＣＣＥのＯＦＤＭシンボルの数に対して個別に与えられる
基地局装置。
【請求項５】
前記ＲＥＧバンドルの時間領域におけるＲＥＧの数は、前記制御リソースセットを構成するＯＦＤＭシンボルの数に等しい
請求項４に記載の基地局装置。
【請求項６】
第１の設定において、前記ＰＤＣＣＨが含まれる制御リソースセットにおいて適用されるプレコーダが同一であり、第２の設定において、前記ＲＥＧバンドル内において適用されるプレコーダが同一である
請求項４に記載の基地局装置。
【請求項７】
端末装置に用いられる通信方法であって、
制御リソースセットにおいてＰＤＣＣＨをモニタするステップと、
前記ＰＤＣＣＨで送信されるＤＣＩフォーマットに含まれる上りリンクグラントに基づきスケジューリングされるＰＵＳＣＨを送信するステップと、を備え、
前記ＰＤＣＣＨは、１つまたは複数のＣＣＥ（Control Channel Element）から構成され、
前記ＣＣＥは、６つのＲＥＧ（Resource Element Group）から構成され、前記ＲＥＧは１つのＯＦＤＭシンボルにおける、１つのＰＲＢから構成され、
前記ＣＣＥは、周波数領域において非連続的にマッピングされる１つまたは複数のＲＥＧバンドルから構成され、
前記ＲＥＧバンドルは、１つまたは複数の前記ＲＥＧから構成され、
前記ＲＥＧバンドルを構成する前記ＲＥＧの周波数領域における数は、前記ＣＣＥのＯＦＤＭシンボルの数に対して個別に与えられる
通信方法。
【請求項８】
基地局装置に用いられる通信方法であって、
制御リソースセットにおいてＰＤＣＣＨを送信するステップと、
前記ＰＤＣＣＨで送信されるＤＣＩフォーマットに含まれる上りリンクグラントに基づきスケジューリングされるＰＵＳＣＨを受信するステップと、を備え、
前記ＰＤＣＣＨは、１つまたは複数のＣＣＥ（Control Channel Element）から構成され、
前記ＣＣＥは、６つのＲＥＧ（Resource Element Group）から構成され、前記ＲＥＧは１つのＯＦＤＭシンボルにおける、１つのＰＲＢから構成され、
前記ＣＣＥは、周波数領域において非連続的にマッピングされる１つまたは複数のＲＥＧバンドルから構成され、
前記ＲＥＧバンドルは、１つまたは複数の前記ＲＥＧから構成され、
前記ＲＥＧバンドルを構成する前記ＲＥＧの周波数領域における数は、前記ＣＣＥのＯＦＤＭシンボルの数に対して個別に与えられる
通信方法。
【発明の詳細な説明】
【技術分野】
【０００１】
本発明は、端末装置、基地局装置、および、通信方法に関する。
本願は、２０１７年４月２６日に日本に出願された特願２０１７−０８７１０１号について優先権を主張し、その内容をここに援用する。
【背景技術】
【０００２】
セルラー移動通信の無線アクセス方式および無線ネットワーク（以下、「Long Term Evolution （LTE）」、または、「ＥＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ」と称する。）が、第三世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）において検討されている。ＬＴＥにおいて、基地局装置はｅＮｏｄｅＢ（ｅｖｏｌｖｅｄ  ＮｏｄｅＢ）、端末装置はＵＥ（Ｕｓｅｒ  Ｅｑｕｉｐｍｅｎｔ）とも呼称される。ＬＴＥは、基地局装置がカバーするエリアをセル状に複数配置するセルラー通信システムである。単一の基地局装置は複数のセルを管理してもよい。【０００３】
３ＧＰＰでは、国際電気通信連合（ＩＴＵ：  Ｉｎｔｅｒｎａｔｉｏｎａｌ  Ｔｅｌｅｃｏｍｍｕｎｉｃａｔｉｏｎ  Ｕｎｉｏｎ）が策定する次世代移動通信システムの規格であるＩＭＴ（Ｉｎｔｅｒｎａｔｉｏｎａｌ  Ｍｏｂｉｌｅ  Ｔｅｌｅｃｏｍｍｕｎｉｃａｔｉｏｎ）―２０２０に提案するため、次世代規格（ＮＲ：  Ｎｅｗ  Ｒａｄｉｏ）の検討が行われている（非特許文献１）。ＮＲは、単一の技術の枠組みにおいて、ｅＭＢＢ（ｅｎｈａｎｃｅｄ  Ｍｏｂｉｌｅ  ＢｒｏａｄＢａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、ＵＲＬＬＣ（Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎ）の３つのシナリオを想定した要求を満たすことが求められている。
【先行技術文献】
【非特許文献】
【０００４】
【非特許文献１】"New SID proposal: Study on New Radio Access Technology", RP-160671, NTT docomo, 3GPP TSG RAN Meeting #71, Goteborg, Sweden, 7th - 10th March, 2016.
【発明の概要】
【発明が解決しようとする課題】
【０００５】
本発明の一態様は、効率的に下りリンク受信を行うことができる端末装置、該端末装置に用いられる通信方法、効率的に下りリンク送信を行うことができる基地局装置、および、該基地局装置に用いられる通信方法を提供する。
【課題を解決するための手段】
【０００６】
（１）本発明の第１の態様は、端末装置であって、制御リソースセットにおいてＰＤＣＣＨをモニタする受信部と、前記ＰＤＣＣＨで送信されるＤＣＩフォーマットに含まれる上りリンクグラントに基づきスケジューリングされるＰＵＳＣＨを送信する送信部と、を備え、前記ＰＤＣＣＨは、１つまたは複数のＣＣＥ（Control Channel Element）から構成され、前記ＣＣＥは、６つのＲＥＧ（Resource Element Group）から構成され、前記ＲＥＧは１つのＯＦＤＭシンボルにおける、１つのＰＲＢから構成され、前記ＣＣＥは、周波数領域において非連続的にマッピングされる１つまたは複数のＲＥＧバンドルから構成され、前記ＲＥＧバンドルは、１つまたは複数の前記ＲＥＧから構成され、前記ＲＥＧバンドルを構成する前記ＲＥＧの周波数領域における数は、前記ＣＣＥのＯＦＤＭシンボルの数に対して個別に与えられる。【０００７】
（２）本発明の第２の態様は、基地局装置であって、制御リソースセットにおいてＰＤＣＣＨを送信する送信部と、前記ＰＤＣＣＨで送信されるＤＣＩフォーマットに含まれる上りリンクグラントに基づきスケジューリングされるＰＵＳＣＨを受信する受信部と、を備え、前記ＰＤＣＣＨは、１つまたは複数のＣＣＥ（Control Channel Element）から構成され、前記ＣＣＥは、６つのＲＥＧ（Resource Element Group）から構成され、前記ＲＥＧは１つのＯＦＤＭシンボルにおける、１つのＰＲＢから構成され、前記ＣＣＥは、周波数領域において非連続的にマッピングされる１つまたは複数のＲＥＧバンドルから構成され、前記ＲＥＧバンドルは、１つまたは複数の前記ＲＥＧから構成され、前記ＲＥＧバンドルを構成する前記ＲＥＧの周波数領域における数は、前記ＣＣＥのＯＦＤＭシンボルの数に対して個別に与えられる。【０００８】
（３）本発明の第３の態様は、端末装置に用いられる通信方法であって、制御リソースセットにおいてＰＤＣＣＨをモニタするステップと、前記ＰＤＣＣＨで送信されるＤＣＩフォーマットに含まれる上りリンクグラントに基づきスケジューリングされるＰＵＳＣＨを送信するステップと、を備え、前記ＰＤＣＣＨは、１つまたは複数のＣＣＥ（Control Channel Element）から構成され、前記ＣＣＥは、６つのＲＥＧ（Resource Element Group）から構成され、前記ＲＥＧは１つのＯＦＤＭシンボルにおける、１つのＰＲＢから構成され、前記ＣＣＥは、周波数領域において非連続的にマッピングされる１つまたは複数のＲＥＧバンドルから構成され、前記ＲＥＧバンドルは、１つまたは複数の前記ＲＥＧから構成され、前記ＲＥＧバンドルを構成する前記ＲＥＧの周波数領域における数は、前記ＣＣＥのＯＦＤＭシンボルの数に対して個別に与えられる。【０００９】
（４）本発明の第４の態様は、基地局装置に用いられる通信方法であって、制御リソースセットにおいてＰＤＣＣＨを送信するステップと、前記ＰＤＣＣＨで送信されるＤＣＩフォーマットに含まれる上りリンクグラントに基づきスケジューリングされるＰＵＳＣＨを受信するステップと、を備え、前記ＰＤＣＣＨは、１つまたは複数のＣＣＥ（Control Channel Element）から構成され、前記ＣＣＥは、６つのＲＥＧ（Resource Element Group）から構成され、前記ＲＥＧは１つのＯＦＤＭシンボルにおける、１つのＰＲＢから構成され、前記ＣＣＥは、周波数領域において非連続的にマッピングされる１つまたは複数のＲＥＧバンドルから構成され、前記ＲＥＧバンドルは、１つまたは複数の前記ＲＥＧから構成され、前記ＲＥＧバンドルを構成する前記ＲＥＧの周波数領域における数は、前記ＣＣＥのＯＦＤＭシンボルの数に対して個別に与えられる。
【発明の効果】
【００１０】
この発明の一態様によれば、端末装置は効率的に下りリンク受信を行うことができる。また、基地局装置は効率的に下りリンク送信を行うことができる。
【図面の簡単な説明】
【００１１】
【図１】本実施形態の一態様に係る無線通信システムの概念図である。
【図２】本実施形態の一態様に係る無線フレーム、サブフレーム、および、スロットの構成を示す一例である。
【図３】本実施形態の一態様に係るスロットとミニスロットの構成例を示す図である。
【図４】本実施形態の一態様に係る制御リソースセットのマッピングの一例を示した図である。
【図５】本実施形態の一態様に係るスロットに含まれるリソースエレメントの一例を示した図である。
【図６】本実施形態の一態様に係る１つのＲＥＧの構成の一例を示す図である。
【図７】本実施形態の一態様に係るＣＣＥの構成例を示す図である。
【図８】本実施形態の一態様に係るＰＤＣＣＨ候補の構成例を示す図である。
【図９】本実施形態の一態様に係るＲＥＧのグループを構成するＲＥＧ数とＰＤＣＣＨ候補のマッピング方法の関連の一例を示す図である。
【図１０】本実施形態の一態様に係るＣＣＥを構成するＲＥＧのマッピングの一例を示す図である。
【図１１】本実施形態の端末装置１の構成を示す概略ブロック図である。
【図１２】本実施形態の基地局装置３の構成を示す概略ブロック図である。
【図１３】本実施形態の一態様に係る第１の初期接続手順（４−ｓｔｅｐ  ｃｏｎｔｅｎｔｉｏｎ  ｂａｓｅｄ  ＲＡＣＨ  ｐｒｏｃｅｄｕｒｅ）の一例を示す図である。
【発明を実施するための形態】
【００１２】
以下、本発明の実施形態について説明する。
【００１３】
図１は、本実施形態の一態様に係る無線通信システムの概念図である。図１において、無線通信システムは、端末装置１Ａ〜１Ｃ、および基地局装置３を具備する。以下、端末装置１Ａ〜１Ｃを端末装置１とも呼称する。
【００１４】
以下、端末装置１、および、基地局装置３の間の通信に関する種々の無線パラメータについて説明する。ここで、少なくとも一部の無線パラメータ（例えば、サブキャリア間隔（ＳＣＳ：Ｓｕｂｃａｒｒｉｅｒ  Ｓｐａｃｉｎｇ））は、Ｎｕｍｅｒｏｌｏｇｙとも呼称される。無線パラメータは、サブキャリア間隔、ＯＦＤＭシンボルの長さ、サブフレームの長さ、スロットの長さ、および、ミニスロットの長さの少なくとも一部を含む。
【００１５】
サブキャリア間隔は、参照サブキャリア間隔（Ｒｅｆｅｒｅｎｃｅ  ＳＣＳ、Ｒｅｆｅｒｅｎｃｅ  Ｎｕｍｅｒｏｌｏｇｙ）、および、実際の無線通信に使用される通信方式のためのサブキャリア間隔（Ａｃｔｕａｌ  ＳＣＳ、Ａｃｔｕａｌ  Ｎｕｍｅｒｏｌｏｇｙ）の２つに分類されてもよい。参照サブキャリア間隔は、無線パラメータの少なくとも一部を決定するために用いられてもよい。例えば、参照サブキャリア間隔は、サブフレームの長さを設定するために用いられる。ここで、参照サブキャリア間隔は、例えば、１５ｋＨｚである。
【００１６】
実際の無線通信に使用されるサブキャリア間隔は、端末装置１と基地局装置３の間の無通信に使用される通信方式（例えば、ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘ、ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＳＣ−ＦＤＭＡ：Ｓｉｎｇｌｅ  Ｃａｒｒｉｅｒ  −  Ｆｒｅｑｕｅｎｃｙ  Ｄｉｖｉｓｉｏｎ  Ｍｕｌｔｉｐｌｅ  Ａｃｃｅｓｓ、ＤＦＴ−ｓ−ＯＦＤＭ：Ｄｉｓｃｒｅｔｅ  Ｆｏｕｒｉｅｒ  Ｔｒａｎｓｆｏｒｍ  −  ｓｐｒｅａｄ  −  ＯＦＤＭ）のための無線パラメータの１つである。以下では、参照サブキャリア間隔を第１のサブキャリア間隔とも呼称する。また、実際の無線通信に使用されるサブキャリア間隔を第２のサブキャリア間隔とも呼称する。
【００１７】
図２は、本実施形態の一態様に係る無線フレーム、サブフレーム、および、スロットの構成を示す一例である。図２に示す一例では、スロットの長さは０．５ｍｓであり、サブフレームの長さは１ｍｓであり、無線フレームの長さは１０ｍｓである。スロットは、時間領域におけるリソース割り当ての単位であってもよい。例えば、スロットは、１つのトランスポートブロックがマップされる単位であってもよい。例えば、トランスポートブロックは、１つのスロットにマップされてもよい。ここで、トランスポートブロックは、上位層（例えば、ＭＡＣ：Ｍｅｄｉａｍ  Ａｃｃｅｓｓ  Ｃｏｎｔｒｏｌ）で規定される所定の間隔（例えば、送信時間間隔（ＴＴＩ：Ｔｒａｎｓｍｉｓｓｉｏｎ  Ｔｉｍｅ  Ｉｎｔｅｒｖａｌ））内に送信されるデータの単位であってもよい。
【００１８】
例えば、スロットの長さは、ＯＦＤＭシンボルの数によって与えられてもよい。例えば、ＯＦＤＭシンボルの数は、７、または、１４であってもよい。スロットの長さは、少なくともＯＦＤＭシンボルの長さに基づき与えられてもよい。ＯＦＤＭシンボルの長さは、第２のサブキャリア間隔に少なくとも基づき異なってもよい。また、ＯＦＤＭシンボルの長さは、ＯＦＤＭシンボルの生成に用いられる高速フーリエ変換（ＦＦＴ：Ｆａｓｔ  Ｆｏｕｒｉｅｒ  Ｔｒａｎｓｆｏｒｍ）のポイント数に少なくとも基づき与えられてもよい。また、ＯＦＤＭシンボルの長さは、該ＯＦＤＭシンボルに付加されるサイクリックプレフィックス（ＣＰ：Ｃｙｃｌｉｃ  Ｐｒｅｆｉｘ）の長さを含んでもよい。ここで、ＯＦＤＭシンボルは、シンボルと呼称されてもよい。また、端末装置１と基地局装置３の間の通信において、ＯＦＤＭ以外の通信方式が使用される場合（例えば、ＳＣ−ＦＤＭＡやＤＦＴ−ｓ−ＯＦＤＭが使用される場合等）、生成されるＳＣ−ＦＤＭＡシンボル、および／または、ＤＦＴ−ｓ−ＯＦＤＭシンボルはＯＦＤＭシンボルとも呼称される。ここで、例えば、スロットの長さは、０．２５ｍｓ、０．５ｍｓ、１ｍｓ、２ｍｓ、３ｍｓであってもよい。また、特に記載のない限り、ＯＦＤＭはＳＣ−ＦＤＭＡ、または、ＤＦＴ−ｓ−ＯＦＤＭを含む。
【００１９】
ＯＦＤＭは、波形整形（Ｐｕｌｓｅ  Ｓｈａｐｅ）、ＰＡＰＲ低減、帯域外輻射低減、または、フィルタリング、および／または、位相処理（例えば、位相回転等）が適用されたマルチキャリアの通信方式を含む。マルチキャリアの通信方式は、複数のサブキャリアが多重された信号を生成／送信する通信方式であってもよい。
【００２０】
サブフレームの長さは、１ｍｓであってもよい。また、サブフレームの長さは、第１のサブキャリア間隔に基づき与えられてもよい。例えば、第１のサブキャリア間隔が１５ｋＨｚである場合、サブフレームの長さは１ｍｓであってもよい。サブフレームは、１、または、複数のスロットを含んでもよい。
【００２１】
無線フレームは、サブフレームの数によって与えられてもよい。無線フレームのためのサブフレームの数は、例えば、１０であってもよい。
【００２２】
図３は、本実施形態の一態様に係るスロットとミニスロットの構成例を示す図である。図３において、スロットを構成するＯＦＤＭシンボルの数は７である。ミニスロットは、スロットを構成するＯＦＤＭシンボルの数よりも小さいＯＦＤＭシンボルの数により構成されてもよい。また、ミニスロットは、スロットよりも短い長さであってもよい。図３は、ミニスロットの構成の一例として、ミニスロット＃０からミニスロット＃５を示している。ミニスロットは、ミニスロット＃０に示されるように、１つのＯＦＤＭシンボルにより構成されてもよい。また、ミニスロットは、ミニスロット＃１から＃３に示されるように２つのＯＦＤＭシンボルにより構成されてもよい。また、ミニスロット＃１とミニスロット＃２によって示されるように、２つのミニスロットの間にギャップが挿入されてもよい。また、ミニスロットは、ミニスロット＃５に示されるように、スロット＃０とスロット＃１の境界をまたいで構成されてもよい。つまり、ミニスロットはスロットの境界をまたいで構成されてもよい。ここで、ミニスロットは、サブスロットとも呼称される。また、ミニスロットは、ｓＴＴＩ（ｓｈｏｒｔ  ＴＴＩ：Ｔｒａｎｓｍｉｓｓｉｏｎ  Ｔｉｍｅ  Ｉｎｔｅｒｖａｌ）とも呼称される。また、以下では、スロットは、ミニスロットに読み替えられてもよい。ミニスロットは、スロットと同じＯＦＤＭシンボルの数により構成されてもよい。ミニスロットは、スロットを構成するＯＦＤＭシンボルの数よりも多いＯＦＤＭの数により構成されてもよい。ミニスロットの時間領域の長さは、スロットより短くてもよい。ミニスロットの時間領域の長さは、１つのサブフレーム（例えば、１ｍｓ）より短くてもよい。
【００２３】
以下、本実施形態の種々の態様に係る物理チャネルおよび物理シグナルを説明する。
【００２４】
図１において、端末装置１から基地局装置３への上りリンクの無線通信では、以下の上りリンク物理チャネルが少なくとも用いられる。上りリンク物理チャネルは、上位層から出力された情報を送信するために、物理層によって使用される。
・ＰＵＣＣＨ（Ｐｈｙｓｉｃａｌ  Ｕｐｌｉｎｋ  Ｃｏｎｔｒｏｌ  Ｃｈａｎｎｅｌ）
・ＰＵＳＣＨ（Ｐｈｙｓｉｃａｌ  Ｕｐｌｉｎｋ  Ｓｈａｒｅｄ  Ｃｈａｎｎｅｌ）
・ＰＲＡＣＨ（Ｐｈｙｓｉｃａｌ  Ｒａｎｄｏｍ  Ａｃｃｅｓｓ  Ｃｈａｎｎｅｌ）
ＰＵＣＣＨは、上りリンク制御情報（ＵＣＩ：Ｕｐｌｉｎｋ  Ｃｏｎｔｒｏｌ  Ｉｎｆｏｒｍａｔｉｏｎ）を送信するために用いられる。上りリンク制御情報は、下りリンクチャネルのチャネル状態情報（ＣＳＩ：Ｃｈａｎｎｅｌ  Ｓｔａｔｅ  Ｉｎｆｏｒｍａｔｉｏｎ）、初期送信のためのＰＵＳＣＨ（ＵＬ−ＳＣＨ：Ｕｐｌｉｎｋ−Ｓｈａｒｅｄ  Ｃｈａｎｎｅｌ）リソースを要求するために用いられるスケジューリングリクエスト（ＳＲ：Ｓｃｈｅｄｕｌｉｎｇ  Ｒｅｑｕｅｓｔ）、下りリンクデータ（ＴＢ：Ｔｒａｎｓｐｏｒｔ  ｂｌｏｃｋ、ＭＡＣ  ＰＤＵ：Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ、ＤＬ−ＳＣＨ：Ｄｏｗｎｌｉｎｋ−Ｓｈａｒｅｄ
Ｃｈａｎｎｅｌ、ＰＤＳＣＨ：Ｐｈｙｓｉｃａｌ  Ｄｏｗｎｌｉｎｋ  Ｓｈａｒｅｄ  Ｃｈａｎｎｅｌ）に対するＨＡＲＱ−ＡＣＫ（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ）を含む。ＨＡＲＱ−ＡＣＫは、ＡＣＫ（ａｃｋｎｏｗｌｅｄｇｅｍｅｎｔ）またはＮＡＣＫ（ｎｅｇａｔｉｖｅ−ａｃｋｎｏｗｌｅｄｇｅｍｅｎｔ）を示す。ＨＡＲＱ−ＡＣＫを、ＨＡＲＱフィードバック、ＨＡＲＱ情報、ＨＡＲＱ制御情報、および、ＡＣＫ／ＮＡＣＫとも称する。
【００２５】
チャネル状態情報（ＣＳＩ：Ｃｈａｎｎｅｌ  Ｓｔａｔｅ  Ｉｎｆｏｒｍａｔｉｏｎ）は、チャネル品質指標（ＣＱＩ：  Ｃｈａｎｎｅｌ  Ｑｕａｌｉｔｙ  Ｉｎｄｉｃａｔｏｒ）とランク指標（ＲＩ：  Ｒａｎｋ  Ｉｎｄｉｃａｔｏｒ）を少なくとも含む。チャネル品質指標は、プレコーダ行列指標（ＰＭＩ：Ｐｒｅｃｏｄｅｒ  Ｍａｔｒｉｘ  Ｉｎｄｉｃａｔｏｒ）を含んでもよい。ＣＱＩは、チャネル品質（伝搬強度）に関連する指標であり、ＰＭＩは、プレコーダを指示する指標である。ＲＩは、送信ランク（または、送信レイヤ数）を指示する指標である。
【００２６】
ＰＵＳＣＨは、上りリンクデータ（ＴＢ、ＭＡＣ  ＰＤＵ、ＵＬ−ＳＣＨ、ＰＵＳＣＨ）を送信するために用いられる。ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。ＰＵＳＣＨは、ランダムアクセスメッセージ３を送信するために用いられる。
【００２７】
ＰＲＡＣＨは、ランダムアクセスプリアンブル（ランダムアクセスメッセージ１）を送信するために用いられる。ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンクデータの送信に対する同期（タイミング調整）、およびＰＵＳＣＨ（ＵＬ−ＳＣＨ）リソースの要求を示すために用いられる。ランダムアクセスプリアンブルは、端末装置１の上位層より与えられるインデックス（ランダムアクセスプリアンブルインデックス）を基地局装置３に通知するために用いられてもよい。
【００２８】
ランダムアクセスプリアンブルは、物理ルートシーケンスインデックスｕに対応するＺａｄｏｆｆ−Ｃｈｕ系列をサイクリックシフトすることによって与えられてもよい。Ｚａｄｏｆｆ−Ｃｈｕ系列は、物理ルートシーケンスインデックスｕに基づいて生成されてもよい。１つのセルにおいて、複数のランダムアクセスプリアンブルが定義されてもよい。ランダムアクセスプリアンブルは、ランダムアクセスプリアンブルのインデックス少なくとも基づき特定されてもよい。ランダムアクセスプリアンブルの異なるインデックスに対応する異なるランダムアクセスプリアンブルは、物理ルートシーケンスインデックスｕとサイクリックシフトの異なる組み合わせに対応してもよい。物理ルートシーケンスインデックスｕ、および、サイクリックシフトは、システム情報に含まれる情報に少なくとも基づいて与えられてもよい。物理ルートシーケンスインデックスｕは、ランダムアクセスプリアンブルに含まれる系列を識別するインデックスであってもよい。ランダムアクセスプリアンブルは、物理ルートシーケンスインデックスｕに少なくとも基づき特定されてもよい。
【００２９】
図１において、上りリンクの無線通信では、以下の上りリンク物理シグナルが用いられる。上りリンク物理シグナルは、上位層から出力された情報を送信するために使用されなくてもよいが、物理層によって使用される。
・上りリンク参照信号（ＵＬ  ＲＳ：Ｕｐｌｉｎｋ  Ｒｅｆｅｒｅｎｃｅ  Ｓｉｇｎａｌ）
本実施形態において、少なくとも以下の２つのタイプの上りリンク参照信号が少なくとも用いられてもよい。
・ＤＭＲＳ（Ｄｅｍｏｄｕｌａｔｉｏｎ  Ｒｅｆｅｒｅｎｃｅ  Ｓｉｇｎａｌ）
・ＳＲＳ（Ｓｏｕｎｄｉｎｇ  Ｒｅｆｅｒｅｎｃｅ  Ｓｉｇｎａｌ）
ＤＭＲＳは、ＰＵＳＣＨ、および／または、ＰＵＣＣＨの送信に関連する。ＤＭＲＳは、ＰＵＳＣＨまたはＰＵＣＣＨと多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００３０】
ＳＲＳは、ＰＵＳＣＨまたはＰＵＣＣＨの送信に関連しなくてもよい。基地局装置３は、チャネル状態の測定のためにＳＲＳを用いてもよい。ＳＲＳは、上りリンクスロットにおけるサブフレームまたはスロットの最後、または、最後から所定数のＯＦＤＭシンボルにおいて送信されてもよい。
【００３１】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Ｐｈｙｓｉｃａｌ  Ｂｒｏａｄｃａｓｔ  Ｃｈａｎｎｅｌ）
・ＰＤＣＣＨ（Ｐｈｙｓｉｃａｌ  Ｄｏｗｎｌｉｎｋ  Ｃｏｎｔｒｏｌ  Ｃｈａｎｎｅｌ）
・ＰＤＳＣＨ（Ｐｈｙｓｉｃａｌ  Ｄｏｗｎｌｉｎｋ  Ｓｈａｒｅｄ  Ｃｈａｎｎｅｌ）
ＰＢＣＨは、端末装置１において共通に用いられるマスターインフォメーションブロック（ＭＩＢ：Ｍａｓｔｅｒ  Ｉｎｆｏｒｍａｔｉｏｎ  Ｂｌｏｃｋ、ＢＣＨ、Ｂｒｏａｄｃａｓｔ  Ｃｈａｎｎｅｌ）を報知するために用いられる。ＰＢＣＨは、所定の送信間隔に基づき送信されてもよい。例えば、ＰＢＣＨは、８０ｍｓの間隔で送信されてもよい。ＰＢＣＨに含まれる情報の中身は、８０ｍｓごとに更新されてもよい。ＰＢＣＨは、２８８サブキャリアにより構成されてもよい。ＰＢＣＨは、２、３、または、４ＯＦＤＭシンボルを含んで構成されてもよい。ＭＩＢは、同期信号の識別子（インデックス）に関連する情報を含んでもよい。ＭＩＢは、ＰＢＣＨが送信されるスロットの番号、サブフレームの番号、および、無線フレームの番号の少なくとも一部を指示する情報を含んでもよい。
【００３２】
ＰＤＣＣＨは、下りリンク制御情報（ＤＣＩ：Ｄｏｗｎｌｉｎｋ  Ｃｏｎｔｒｏｌ  Ｉｎｆｏｒｍａｔｉｏｎ）を送信するために用いられる。下りリンク制御情報は、ＤＣＩフォーマットとも呼称される。下りリンク制御情報は、下りリンクグラント（ｄｏｗｎｌｉｎｋ  ｇｒａｎｔ）または上りリンクグラント（ｕｐｌｉｎｋ  ｇｒａｎｔ）のいずれかを少なくとも含んでもよい。下りリンクグラントは、下りリンクアサインメント（ｄｏｗｎｌｉｎｋ  ａｓｓｉｇｎｍｅｎｔ）または下りリンク割り当て（ｄｏｗｎｌｉｎｋ  ａｌｌｏｃａｔｉｏｎ）とも呼称される。
【００３３】
１つの下りリンクグラントは、１つのサービングセル内の１つのＰＤＳＣＨのスケジューリングのために少なくとも用いられる。下りリンクグラントは、該下りリンクグラントが送信されたスロットと同じスロット内のＰＤＳＣＨのスケジューリングのために少なくとも用いられる。
【００３４】
１つの上りリンクグラントは、１つのサービングセル内の１つのＰＵＳＣＨのスケジューリングのために少なくとも用いられる。
【００３５】
端末装置１は、ＰＤＣＣＨの探索のために、１または複数の制御リソースセットが設定される。端末装置１は、設定された制御リソースセットにおいてＰＤＣＣＨの受信を試みる。制御リソースセットの詳細は後述される。
【００３６】
ＰＤＳＣＨは、下りリンクデータ（ＤＬ−ＳＣＨ、ＰＤＳＣＨ）を送信するために用いられる。ＰＤＳＣＨは、ランダムアクセスメッセージ２（ランダムアクセスレスポンス）を送信するために少なくとも用いられる。ＰＤＳＣＨは、初期アクセスのために用いられるパラメータを含むシステム情報を送信するために少なくとも用いられる。
【００３７】
図１において、下りリンクの無線通信では、以下の下りリンク物理シグナルが用いられる。下りリンク物理シグナルは、上位層から出力された情報を送信するために使用されなくてもよいが、物理層によって使用される。
・同期信号（ＳＳ：Ｓｙｎｃｈｒｏｎｉｚａｔｉｏｎ  ｓｉｇｎａｌ）
・下りリンク参照信号（ＤＬ  ＲＳ：Ｄｏｗｎｌｉｎｋ  Ｒｅｆｅｒｅｎｃｅ  Ｓｉｇｎａｌ）
同期信号は、端末装置１が下りリンクの周波数領域および時間領域の同期をとるために用いられる。同期信号は、ＰＳＳ（Ｐｒｉｍａｒｙ  Ｓｙｎｃｈｒｏｎｉｚａｔｉｏｎ  Ｓｉｇｎａｌ）、および、ＳＳＳ（Ｓｅｃｏｎｄ  Ｓｙｎｃｈｒｏｎｉｚａｔｉｏｎ  Ｓｉｇｎａｌ）を含む。
【００３８】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００３９】
本実施形態において、以下の２つのタイプの下りリンク参照信号が用いられる。
・ＤＭＲＳ（ＤｅＭｏｄｕｌａｔｉｏｎ  Ｒｅｆｅｒｅｎｃｅ  Ｓｉｇｎａｌ）
・Ｓｈａｒｅｄ  ＲＳ（Ｓｈａｒｅｄ  Ｒｅｆｅｒｅｎｃｅ  Ｓｉｇｎａｌ）
ＤＭＲＳは、ＰＤＣＣＨ、および／または、ＰＤＳＣＨの送信に対応する。ＤＭＲＳは、ＰＤＣＣＨまたはＰＤＳＣＨに多重される。端末装置１は、ＰＤＣＣＨまたはＰＤＳＣＨの伝搬路補正を行なうために該ＰＤＣＣＨまたは該ＰＤＳＣＨと対応するＤＭＲＳを使用してもよい。以下、ＰＤＣＣＨと該ＰＤＣＣＨと対応するＤＭＲＳが共に送信されることは、単にＰＤＣＣＨが送信されると呼称される。以下、ＰＤＳＣＨと該ＰＤＳＣＨと対応するＤＭＲＳが共に送信されることは、単にＰＤＳＣＨが送信されると呼称される。
【００４０】
Ｓｈａｒｅｄ  ＲＳは、少なくともＰＤＣＣＨの送信に対応してもよい。Ｓｈａｒｅｄ  ＲＳは、ＰＤＣＣＨに多重されてもよい。端末装置１は、ＰＤＣＣＨの伝搬路補正を行うためにＳｈａｒｅｄ  ＲＳを使用してもよい。以下、ＰＤＣＣＨとＳｈａｒｅｄ  ＲＳが共に送信されることは、単にＰＤＣＣＨが送信されるとも呼称される。
【００４１】
ＤＭＲＳは、端末装置１に個別に設定されるＲＳであってもよい。ＤＭＲＳの系列は、端末装置１に個別に設定されるパラメータに少なくとも基づいて与えられてもよい。ＤＭＲＳは、ＰＤＣＣＨ、および／または、ＰＤＳＣＨのために個別に送信されてもよい。一方、Ｓｈａｒｅｄ  ＲＳは、複数の端末装置１に共通に設定されるＲＳであってもよい。Ｓｈａｒｅｄ  ＲＳの系列は、端末装置１に個別に設定されるパラメータとは関係なく与えられてもよい。例えば、Ｓｈａｒｅｄ  ＲＳの系列は、スロットの番号、ミニスロットの番号、および、セルＩＤ（identity）の少なくとも一部に基づいて与えられてもよい。Ｓｈａｒｅｄ  ＲＳは、ＰＤＣＣＨ、および／または、ＰＤＳＣＨが送信されているか否かに関わらず送信されるＲＳであってもよい。
【００４２】
下りリンク物理チャネルおよび下りリンク物理シグナルは、下りリンク信号とも呼称される。上りリンク物理チャネルおよび上りリンク物理シグナルは、上りリンク信号とも呼称される。下りリンク物理チャネルおよび上りリンク物理チャネルを総称して、物理チャネルと称する。下りリンク物理シグナルおよび上りリンク物理シグナルを総称して、物理シグナルと称する。
【００４３】
ＢＣＨ、ＵＬ−ＳＣＨおよびＤＬ−ＳＣＨは、トランスポートチャネルである。媒体アクセス制御（ＭＡＣ：Ｍｅｄｉｕｍ  Ａｃｃｅｓｓ  Ｃｏｎｔｒｏｌ）層で用いられるチャネルはトランスポートチャネルと呼称される。ＭＡＣ層で用いられるトランスポートチャネルの単位は、トランスポートブロックまたはＭＡＣ  ＰＤＵとも呼称される。ＭＡＣ層においてトランスポートブロック毎にＨＡＲＱ（Ｈｙｂｒｉｄ  Ａｕｔｏｍａｔｉｃ  Ｒｅｐｅａｔ  ｒｅＱｕｅｓｔ）の制御が行なわれる。トランスポートブロックは、ＭＡＣ層が物理層に渡す（ｄｅｌｉｖｅｒ）データの単位である。物理層において、トランスポートブロックはコードワードにマップされ、コードワード毎に変調処理が行なわれる。
【００４４】
基地局装置３と端末装置１は、上位層（ｈｉｇｈｅｒ  ｌａｙｅｒ）において信号をやり取り（送受信）する。例えば、基地局装置３と端末装置１は、無線リソース制御（ＲＲＣ：  Ｒａｄｉｏ  Ｒｅｓｏｕｒｃｅ  Ｃｏｎｔｒｏｌ）層において、ＲＲＣシグナリング（ＲＲＣ  ｍｅｓｓａｇｅ：  Ｒａｄｉｏ  Ｒｅｓｏｕｒｃｅ  Ｃｏｎｔｒｏｌ  ｍｅｓｓａｇｅ、ＲＲＣ  ｉｎｆｏｒｍａｔｉｏｎ：  Ｒａｄｉｏ  Ｒｅｓｏｕｒｃｅ  Ｃｏｎｔｒｏｌ  ｉｎｆｏｒｍａｔｉｏｎとも称される）を送受信してもよい。また、基地局装置３と端末装置１は、ＭＡＣ層において、ＭＡＣ  ＣＥ（Ｃｏｎｔｒｏｌ  Ｅｌｅｍｅｎｔ）を送受信してもよい。ここで、ＲＲＣシグナリング、および／または、ＭＡＣ  ＣＥを、上位層の信号（ｈｉｇｈｅｒ  ｌａｙｅｒ  ｓｉｇｎａｌｉｎｇ）とも称する。
【００４５】
ＰＵＳＣＨおよびＰＤＳＣＨは、ＲＲＣシグナリング、および、ＭＡＣ  ＣＥを送信するために少なくとも用いられる。ここで、基地局装置３よりＰＤＳＣＨで送信されるＲＲＣシグナリングは、セル内における複数の端末装置１に対して共通のシグナリングであってもよい。セル内における複数の端末装置１に対して共通のシグナリングは、共通ＲＲＣシグナリングとも呼称される。基地局装置３からＰＤＳＣＨで送信されるＲＲＣシグナリングは、ある端末装置１に対して専用のシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも呼称される）であってもよい。端末装置１に対して専用のシグナリングは、専用ＲＲＣシグナリングとも呼称される。セルスペシフィックパラメータは、セル内における複数の端末装置１に対して共通のシグナリング、または、ある端末装置１に対して専用のシグナリングを用いて送信されてもよい。ＵＥスペシフィックパラメータは、ある端末装置１に対して専用のシグナリングを用いて送信されてもよい。専用ＲＲＣシグナリングを含むＰＤＳＣＨは、第１の制御リソースセット内のＰＤＣＣＨによってスケジュールされてもよい。
【００４６】
ＢＣＣＨ（Ｂｒｏａｄｃａｓｔ  Ｃｏｎｔｒｏｌ  ＣＨａｎｎｅｌ）、ＣＣＣＨ（Ｃｏｍｍｏｎ  Ｃｏｎｔｒｏｌ  ＣＨａｎｎｅｌ）、および、ＤＣＣＨ（Ｄｅｄｉｃａｔｅｄ  Ｃｏｎｔｒｏｌ  ＣＨａｎｅｅｌ）は、ロジカルチャネルである。例えば、ＢＣＣＨは、ＭＩＢを送信するために用いられる上位層のチャネルである。また、ＣＣＣＨ（Ｃｏｍｍｏｎ  Ｃｏｎｔｒｏｌ  Ｃｈａｎｎｅｌ）は、複数の端末装置１において共通な情報を送信するために用いられる上位層のチャネルである。ここで、ＣＣＣＨは、例えば、ＲＲＣ接続されていない端末装置１のために用いられる。また、ＤＣＣＨ（Ｄｅｄｉｃａｔｅｄ  Ｃｏｎｔｒｏｌ  Ｃｈａｎｎｅｌ）は、端末装置１に個別の制御情報（ｄｅｄｉｃａｔｅｄ  ｃｏｎｔｒｏｌ  ｉｎｆｏｒｍａｔｉｏｎ）を送信するために用いられる上位層のチャネルである。ここで、ＤＣＣＨは、例えば、ＲＲＣ接続されている端末装置１のために用いられる。
【００４７】
ロジカルチャネルにおけるＢＣＣＨは、トランスポートチャネルにおいてＢＣＨ、ＤＬ−ＳＣＨ、または、ＵＬ−ＳＣＨにマップされてもよい。ロジカルチャネルにおけるＣＣＣＨは、トランスポートチャネルにおいてＤＬ−ＳＣＨまたはＵＬ−ＳＣＨにマップされてもよい。ロジカルチャネルにおけるＤＣＣＨは、トランスポートチャネルにおいてＤＬ−ＳＣＨまたはＵＬ−ＳＣＨにマップされてもよい。
【００４８】
トランスポートチャネルにおけるＵＬ−ＳＣＨは、物理チャネルにおいてＰＵＳＣＨにマップされる。トランスポートチャネルにおけるＤＬ−ＳＣＨは、物理チャネルにおいてＰＤＳＣＨにマップされる。トランスポートチャネルにおけるＢＣＨは、物理チャネルにおいてＰＢＣＨにマップされる。
【００４９】
以下、制御リソースセットについて説明する。
【００５０】
図４は、本実施形態の一態様に係る制御リソースセットのマッピングの一例を示した図である。制御リソースセットは、１つまたは複数の制御チャネルがマップされうる時間周波数領域を示してもよい。制御リソースセットは、端末装置１がＰＤＣＣＨの受信を試みる領域であってもよい。図４（ａ）に示されるように、制御リソースセットは、連続的なリソース（Ｌｏｃａｌｉｚｅｄ  ｒｅｓｏｕｒｃｅ）により構成されてもよい。また、図４（ｂ）に示されるように、制御リソースセットは、非連続的なリソース（ｄｉｓｔｒｉｂｕｔｅｄ  ｒｅｓｏｕｒｃｅ）により構成されてもよい。
【００５１】
周波数領域において、制御リソースセットのマッピングの単位はリソースブロックであってもよい。時間領域において、制御リソースセットのマッピングの単位はＯＦＤＭシンボルであってもよい。
【００５２】
制御リソースセットの周波数領域は、サービングセルのシステム帯域幅と同一であってもよい。また、制御リソースセットの周波数領域は、サービングセルのシステム帯域幅に少なくとも基づき与えられてもよい。制御リソースセットの周波数領域は、上位層のシグナリング、および／下りリンク制御情報に少なくとも基づき与えられてもよい。
【００５３】
制御リソースセットの時間領域は、上位層のシグナリング、および／または、下りリンク制御情報に少なくとも基づき与えられてもよい。
【００５４】
制御リソースセットは、共通制御リソースセット（Ｃｏｍｍｏｎ  ｃｏｎｔｒｏｌ  ｒｅｓｏｕｒｃｅ  ｓｅｔ）および専用制御リソースセット（Ｄｅｄｉｃａｔｅｄ  ｃｏｎｔｒｏｌ  ｒｅｓｏｕｒｃｅ  ｓｅｔ）の一方または両方を少なくとも含んでもよい。共通制御リソースセットは、複数の端末装置１に対して共通に設定される制御リソースセットであってもよい。共通制御リソースセットは、ＭＩＢ、第１のシステム情報、第のシステム情報、共通ＲＲＣシグナリング、セルＩＤ、等に少なくとも基づき与えられてもよい。専用制御リソースセットは、端末装置１のために専用的に用いられるように設定される制御リソースセットであってもよい。専用制御リソースセットは、専用ＲＲＣシグナリング、および／または、Ｃ−ＲＮＴＩの値に少なくとも基づき与えられてもよい。
【００５５】
制御リソースセットは、端末装置１がモニタする制御チャネル（または、制御チャネルの候補）のセットであってもよい。制御リソースセットは、端末装置１がモニタする制御チャネル（または、制御チャネルの候補）のセットを含んでもよい。制御リソースセットは、１または複数の探索領域（サーチスペース、ＳＳ：Ｓｅａｒｃｈ  Ｓｐａｃｅ）を含んで構成されてもよい。制御リソースセットは、探索領域であってもよい。
【００５６】
探索領域は、１または複数のＰＤＣＣＨ候補（ＰＤＣＣＨ  ｃａｎｄｉｄａｔｅ）を含んで構成される。端末装置１は、探索領域に含まれるＰＤＣＣＨ候補を受信し、ＰＤＣＣＨの受信を試みる。ここで、ＰＤＣＣＨ候補は、ブラインド検出候補（ｂｌｉｎｄ  ｄｅｔｅｃｔｉｏｎ  ｃａｎｄｉｄａｔｅ）とも呼称される。
【００５７】
探索領域は、ＣＳＳ（Ｃｏｍｍｏｎ  Ｓｅａｒｃｈ  Ｓｐａｃｅ、共通探索領域）およびＵＳＳ（ＵＥ−ｓｐｅｃｉｆｉｃ  Ｓｅａｒｃｈ  Ｓｐａｃｅ）の一方または両方を少なくとも含んでもよい。ＣＳＳは、複数の端末装置１に対して共有に設定される探索領域であってもよい。ＵＳＳは、端末装置１のために専用的に用いられる設定を含む探索領域であってもよい。ＣＳＳは、ＭＩＢ、第１のシステム情報、第のシステム情報、共通ＲＲＣシグナリング、セルＩＤ、等に少なくとも基づき与えられてもよい。ＵＳＳは、専用ＲＲＣシグナリング、および／または、Ｃ−ＲＮＴＩの値に少なくとも基づき与えられてもよい。
【００５８】
共通制御リソースセットは、ＣＳＳおよびＵＳＳの一方または両方を少なくとも含んでもよい。専用制御リソースセットは、ＣＳＳおよびＵＳＳの一方または両方を少なくとも含んでもよい。専用制御リソースセットは、ＣＳＳを含まなくてもよい。
【００５９】
探索領域の物理リソースは制御チャネルの構成単位（ＣＣＥ：Ｃｏｎｔｒｏｌ  Ｃｈａｎｎｅｌ  Ｅｌｅｍｅｎｔ）により構成される。ＣＣＥは所定の数のリソース要素グループ（ＲＥＧ：Ｒｅｓｏｕｒｃｅ  Ｅｌｅｍｅｎｔ  Ｇｒｏｕｐ）により構成される。例えば、ＣＣＥは６個のＲＥＧにより構成されてもよい。ＲＥＧは１つのＰＲＢ（Ｐｈｙｓｉｃａｌ  Ｒｅｓｏｕｒｃｅ  Ｂｌｏｃｋ）の１ＯＦＤＭシンボルにより構成されてもよい。つまり、ＲＥＧは１２個のリソースエレメント（ＲＥ：Ｒｅｓｏｕｒｃｅ  Ｅｌｅｍｅｎｔ）を含んで構成されてもよい。ＰＲＢは、単にＲＢ（Ｒｅｓｏｕｒｃｅ  Ｂｌｏｃｋ）とも呼称される。
【００６０】
以下、本実施形態に係る物理リソースの単位について説明する。
【００６１】
図５は、本実施形態の一態様に係るスロットに含まれるリソースエレメントの一例を示した図である。ここで、リソースエレメントは、１つのＯＦＤＭシンボルと１つのサブキャリアにより定義されるリソースである。図５に示されるように、スロットは、Ｎｓｙｍｂ個のＯＦＤＭシンボルを含む。スロットに含まれるサブキャリアの数は、スロットに含まれるリソースブロックの数ＮＲＢと、リソースブロックあたりのサブキャリア数ＮＲＢＳＣの積により与えられてもよい。ここで、リソースブロックは、時間領域と周波数領域のリソースエレメントのグループである。リソースブロックは、時間領域、および／または、周波数領域のリソース割り当ての単位として用いられてもよい。例えば、ＮＲＢＳＣは１２であってもよい。Ｎｓｙｍｂは、サブフレームに含まれるＯＦＤＭシンボルの数と同一であってもよい。Ｎｓｙｍｂは、スロットに含まれるＯＦＤＭシンボルの数と同一であってもよい。ＮＲＢは、セルの帯域幅と第１のサブキャリア間隔に基づき与えられてもよい。また、ＮＲＢは、セルの帯域幅と第２のサブキャリア間隔に基づき与えられてもよい。また、ＮＲＢは、基地局装置３より送信される上位層の信号（例えば、ＲＲＣシグナリング）等に基づき与えられてもよい。また、ＮＲＢは、仕様書の記載等に基づき与えられてもよい。リソースエレメントは、サブキャリアのためのインデックスｋと、ＯＦＤＭシンボルのためのインデックスｌにより識別される。
【００６２】
図６は、本実施形態の一態様に係る１つのＲＥＧの構成の一例を示す図である。ＲＥＧは、１つのＰＲＢの１つのＯＦＤＭシンボルにより構成されてもよい。つまり、ＲＥＧは周波数領域において連続する１２個のＲＥにより構成されてもよい。ＲＥＧを構成する複数のＲＥのうちの一部は、下りリンク制御情報がマップされないＲＥであってもよい。ＲＥＧは、下りリンク制御情報がマップされないＲＥを含んで構成されてもよいし、下りリンク制御情報がマップされないＲＥを含まずに構成されてもよい。下りリンク制御情報がマップされないＲＥは、参照信号がマップされるＲＥであってもよいし、制御チャネル以外のチャネルがマップされるＲＥであってもよいし、制御チャネルがマップされないことが端末装置１によって想定されるＲＥであってもよい。
【００６３】
図７は、本実施形態の一態様に係るＣＣＥの構成例を示す図である。ＣＣＥは、６個のＲＥＧにより構成されてもよい。図７（ａ）に示されるように、ＣＣＥは連続的にマップされるＲＥＧにより構成されてもよい（Ｌｏｃａｌｉｚｅｄ  ｍａｐｐｉｎｇ）。図７（ｂ）に示されるように、ＣＣＥは非連続的にマップされるＲＥＧにより構成されてもよい（Ｄｉｓｔｒｉｂｕｔｅｄ  ｍａｐｐｉｎｇ）。図７（ｃ）に示されるように、ＣＣＥは非連続的にマップされるＲＥＧのグループにより構成されてもよい。図７（ｃ）において、ＲＥＧのグループは２つのＲＥＧを含む。
【００６４】
ＣＣＥは、１または複数のＲＥＧのグループを含んで構成されてもよい。ＲＥＧのグループは、ＲＥＧバンドル（ｂｕｎｄｌｅ）とも呼称される。端末装置１は、ＲＥＧのグループ内のＲＥに適用されるプレコーダが同一であると想定してもよい。端末装置１は、ＲＥＧのグループ内のＲＥに適用されるプレコーダが同一であると想定して、チャネル推定を行うことができる。一方、端末装置１は、ＲＥＧのグループ間のＲＥに適用されるプレコーダが同一ではないと想定してもよい。言い換えれば、端末装置１は、ＲＥＧのグループ間のＲＥに適用されるプレコーダが同一であると想定しなくてもよい。「ＲＥＧのグループ間」は、「異なる２つのＲＥＧのグループの間」と言い換えられてもよい。端末装置１は、ＲＥＧのグループ間のＲＥに適用されるプレコーダが同一ではないと想定してチャネル推定を行うことができる。ＲＥＧのグループの詳細は後述される。
【００６５】
図８は、本実施形態の一態様に係るＰＤＣＣＨ候補の構成例を示す図である。図８において、ＣＣＥは図７（ａ）に示されるように、連続的にマップされるＲＥＧにより構成されている。ＰＤＣＣＨ候補は、ＣＣＥに基づき構成される。図８は、連続的にマップされるＲＥＧにより構成されるＣＣＥを想定した場合の、ＰＤＣＣＨ候補のマッピングの一例を示している。図８（ａ）に示されるように、ＰＤＣＣＨ候補は連続的にマップされるＣＣＥにより構成されてもよい（Ｌｏｃａｌｉｚｅｄ  ｍａｐｐｉｎｇ）。図８（ａ）に示されるように、ＰＤＣＣＨ候補は斜線で示される４つのＣＣＥにより構成されてもよいし、格子線で示される８つのＣＣＥにより構成されてもよいし、横線で示される１つのＣＣＥにより構成されてもよい。また、図８（ｂ）に示されるように、ＰＤＣＣＨは非連続的にマップされるＣＣＥにより構成されてもよい（Ｄｉｓｔｒｉｂｕｔｅｄ  ｍａｐｐｉｎｇ）。図８（ｂ）に示されるように、ＰＤＣＣＨ候補は斜線で示される１０個のＣＣＥにより構成されてもよいし、格子線で示される２個のＣＣＥにより構成されてもよい。
【００６６】
ＰＤＣＣＨ候補を構成するＣＣＥの数は、集約レベル（ＡＬ：Ａｇｇｒｅｇａｔｉｏｎ  Ｌｅｖｅｌ）とも呼称される。集約レベルがＡＬXのＰＤＣＣＨ候補の集合は、集約レベルＡＬXの探索領域とも呼称される。つまり、集約レベルＡＬXの探索領域は、集約レベルがＡＬＸの１または複数のＰＤＣＣＨ候補を含んで構成されてもよい。また、探索領域は、複数の集約レベルのＰＤＣＣＨ候補を含んでもよい。例えば、ＣＳＳは、複数の集約レベルのＰＤＣＣＨ候補を含んでもよい。また、ＵＳＳは、複数の集約レベルのＰＤＣＣＨ候補を含んでもよい。ＣＳＳに含まれるＰＤＣＣＨ候補の集約レベルのセットと、ＵＳＳに含まれるＰＤＣＣＨ候補の集約レベルのセットは異なってもよい。
【００６７】
以下、ＲＥＧのグループについて説明する。
【００６８】
ＲＥＧのグループは、端末装置１におけるチャネル推定のために用いられてもよい。例えば、端末装置１は、ＲＥＧのグループごとにチャネル推定を行う。これは、異なるプレコーダが適用される参照信号のためのＲＥにおいてチャネル推定（例えばＭＭＳＥチャネル推定等）を実施することが困難であることに基づく。ここで、ＭＭＳＥは、Ｍｉｎｉｍｕｍ  Ｍｅａｎ  Ｓｑｕａｒｅ  Ｅｒｒｏｒの略称である。
【００６９】
チャネル推定の精度は、参照信号に割り当てられる電力、参照信号のために用いられるＲＥの時間周波数領域の密度、無線チャネルの環境等に少なくとも基づき変動する。チャネル推定の精度は、チャネル推定のために用いられる時間周波数の領域に少なくとも基づき変動する。本実施形態の種々の態様において、ＲＥＧのグループは、チャネル推定のために用いられる時間周波数の領域を設定するパラメータとして用いられてもよい。
【００７０】
つまり、ＲＥＧのグループが大きいほどチャネル推定精度の利得を獲得できる。一方で、ＲＥＧのグループが小さいことは、１つのＰＤＣＣＨ候補に多くのＲＥＧのグループを含むことである。１つのＰＤＣＣＨ候補に多くのＲＥＧのグループが含まれることは、それぞれのＲＥＧのグループに対して異なるプレコーダを適用することにより空間的なダイバーシチを獲得する送信方法（プレコーダ回転、プレコーダサイクリングなどと呼称される）において好適である。
【００７１】
１つのＲＥＧのグループは、時間領域、および／または、周波数領域のＲＥＧにより構成されてもよい。
【００７２】
時間領域のＲＥＧのグループは、チャネル推定精度の改善、および／または、参照信号の削減に好適である。例えば、時間領域のＲＥＧのグループを構成するＲＥＧ数は、１であってもよいし、２であってもよいし、３であってもよいし、その他の値であってもよい。また、時間領域においてＲＥＧのグループを構成するＲＥＧ数は、制御リソースセットに含まれるＯＦＤＭシンボル数に少なくとも基づき与えられてもよい。また、時間領域においてＲＥＧのグループを構成するＲＥＧ数は、制御リソースセットに含まれるＯＦＤＭシンボル数と同一であってもよい。
【００７３】
周波数領域のＲＥＧのグループは、チャネル推定精度の改善に寄与する。例えば、周波数領域のＲＥＧのグループを構成するＲＥＧ数は、２であってもよいし、３であってもよいし、少なくとも２の倍数であってもよいし、少なくとも３の倍数であってもよい。また、周波数領域においてＲＥＧのグループを構成するＲＥＧ数は、制御リソースセットのＰＲＢ数に少なくとも基づき与えられてもよい。また、周波数領域においてＲＥＧのグループを構成するＲＥＧ数は、制御リソースセットに含まれるＰＲＢ数と同一であってもよい。
【００７４】
周波数領域においてＲＥＧのグループを構成するＲＥＧ数は、ＰＤＣＣＨ候補のマッピング方法に少なくとも基づき与えられてもよい。図９は、本実施形態の一態様に係るＲＥＧのグループを構成するＲＥＧ数とＰＤＣＣＨ候補のマッピング方法の関連の一例を示す図である。図９（ａ）に示される一例では、ＰＤＣＣＨ候補が１ＯＦＤＭシンボルにマップされており、２つのＲＥＧを含むＲＥＧのグループ（ＲＥＧ  ｇｒｏｕｐ）が３つ構成されている。つまり、図９（ａ）に示される一例では、１つのＲＥＧのグループは２つのＲＥＧにより構成される。周波数領域においてＲＥＧのグループを構成するＲＥＧ数は、周波数方向にマップされるＰＲＢの個数の約数を含んでもよい。図９（ａ）に示される一例では、周波数領域のＲＥＧのグループを構成するＲＥＧ数は１、２、３、または、６であってもよい。
【００７５】
図９（ｂ）に示される一例では、ＰＤＣＣＨ候補が２ＯＦＤＭシンボルにマップされており、２つのＲＥＧを含むＲＥＧのグループが３つ構成されている。図９（ｂ）に示される一例では、周波数領域のＲＥＧのグループを構成するＲＥＧ数は、１と３のいずれかであってもよい。
【００７６】
周波数領域におけるＲＥＧのグループを構成するＲＥＧ数は、ＰＤＣＣＨ候補がマップされるＯＦＤＭシンボルの数に少なくとも基づき与えられてもよい。周波数領域におけるＲＥＧのグループを構成するＲＥＧ数は、ＰＤＣＣＨ候補がマップされるＯＦＤＭシンボルの数に対して個別に設定されてもよい。ＰＤＣＣＨ候補がマップされるＯＦＤＭシンボルの数は、ＣＣＥを構成するＲＥＧのマッピングがＴｉｍｅ  ｆｉｒｓｔであるかＦｒｅｑｕｅｎｃｙ  ｆｉｒｓｔであるか、に基づき異なってもよい。つまり、周波数領域のＲＥＧのグループを構成するＲＥＧ数は、ＣＣＥを構成するＲＥＧのマッピングに少なくとも基づき与えられてもよい。周波数領域におけるＲＥＧのグループを構成するＲＥＧ数は、ＣＣＥを構成するＲＥＧのマッピングに対して個別に設定されてもよい。ＣＣＥを構成するＲＥＧのマッピングは、Ｔｉｍｅ  ｆｉｒｓｔかＦｒｅｑｕｅｎｃｙ  ｆｉｒｓｔのいずれかであってもよい。また、ＣＣＥを構成するＲＥＧのマッピングは、連続的なマッピングか非連続的なマッピングのいずれかであってもよい。周波数領域におけるＲＥＧのグループを構成するＲＥＧ数は、１つのＣＣＥがマップされるＯＦＤＭシンボルの数に少なくとも基づき与えられてもよい。周波数領域におけるＲＥＧのグループを構成するＲＥＧ数は、１つのＣＣＥがマップされるＯＦＤＭシンボルの数に対して個別に設定されてもよい。
【００７７】
図１０は、本実施形態の一態様に係るＣＣＥを構成するＲＥＧのマッピングの一例を示す図である。図１０において、ＣＣＥは６つのＲＥＧにより構成される。また、図１０において、時間領域におけるＲＥＧのインデックスｍは左からｍ＝０〜２の値が付されている。また、図１０において、周波数領域におけるＲＥＧのインデックスｎは、下からｎ＝０〜５の値が付されている。図１０（ａ）において、ＣＣＥを構成するＲＥＧがＴｉｍｅ  ｆｉｒｓｔにマップされる一例が示されている。Ｔｉｍｅ  ｆｉｒｓｔのマッピングは、時間領域におけるＲＥＧのインデックスの低い方から高い方へＲＥＧをマップし、時間領域のＲＥＧのインデックスが最大に到達した時点で周波数領域のＲＥＧのインデックスを１つ増加させていくマッピング方法である。図１０（ｂ）において、ＣＣＥを構成するＲＥＧがＦｒｅｑｕｅｎｃｙ  ｆｉｒｓｔにマップされる一例が示されている。Ｆｒｅｑｕｅｎｃｙ  ｆｉｒｓｔのマッピングは、周波数領域におけるＲＥＧのインデックスの低い方から高い方へＲＥＧをマップし、周波数領域のＲＥＧのインデックスが最大に到達した時点で時間領域のＲＥＧのインデックスを１つ増加させていくマッピング方法である。
【００７８】
時間領域におけるＲＥＧのグループを構成するＲＥＧ数は、ＰＤＣＣＨ候補がマップされるＯＦＤＭシンボルの数に少なくとも基づき与えられてもよい。時間領域におけるＲＥＧのグループを構成するＲＥＧ数は、ＰＤＣＣＨ候補がマップされるＯＦＤＭシンボルの数に対して個別に設定されてもよい。ＰＤＣＣＨ候補がマップされるＯＦＤＭシンボルの数は、ＣＣＥを構成するＲＥＧのマッピングがＴｉｍｅ  ｆｉｒｓｔであるかＦｒｅｑｕｅｎｃｙ  ｆｉｒｓｔであるか、に基づき異なってもよい。つまり、時間領域のＲＥＧのグループを構成するＲＥＧ数は、ＣＣＥを構成するＲＥＧのマッピングに少なくとも基づき与えられてもよい。時間領域におけるＲＥＧのグループを構成するＲＥＧ数は、ＣＣＥを構成するＲＥＧのマッピングに対して個別に設定されてもよい。ＣＣＥを構成するＲＥＧのマッピングは、Ｔｉｍｅ  ｆｉｒｓｔかＦｒｅｑｕｅｎｃｙ  ｆｉｒｓｔかであってもよい。また、ＣＣＥを構成するＲＥＧのマッピングは、連続的なマッピングか非連続的なマッピングがであってもよい。時間領域におけるＲＥＧのグループを構成するＲＥＧ数は、１つのＣＣＥがマップされるＯＦＤＭシンボルの数に少なくとも基づき与えられてもよい。時間領域におけるＲＥＧのグループを構成するＲＥＧ数は、１つのＣＣＥがマップされるＯＦＤＭシンボルの数に対して個別に設定されてもよい。
【００７９】
時間領域のＲＥＧのグループは、参照信号の削減のためにも好適である。図９（ｂ）に示されるようにＲＥＧのグループが構成されている場合、参照信号は前方のＯＦＤＭシンボル、および／または、後方のＯＦＤＭシンボルに含まれてもよい。例えば、時間領域において、ＲＥＧのグループ内の最初のＲＥＧ（先頭のＲＥＧ）は下りリンク制御情報がマップされないＲＥを含んでもよく、ＲＥＧのグループ内における最初のＲＥＧ以外のＲＥＧは下りリンク制御情報がマップされないＲＥを含まなくてもよい。
【００８０】
以下、本実施形態の一態様に係る端末装置１の構成例を説明する。
【００８１】
図１１は、本実施形態の端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、および、ベースバンド部１３を含んで構成される。上位層処理部１４は、媒体アクセス制御層処理部１５、および、無線リソース制御層処理部１６を含んで構成される。無線送受信部１０を送信部、受信部、または、物理層処理部とも称する。
【００８２】
上位層処理部１４は、ユーザーの操作等により生成された上りリンクデータ（トランスポートブロック）を、無線送受信部１０に出力する。上位層処理部１４は、ＭＡＣ層、パケットデータ統合プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク制御（ＲＬＣ：Ｒａｄｉｏ  Ｌｉｎｋ  Ｃｏｎｔｒｏｌ）層、ＲＲＣ層の処理を行なう。
【００８３】
上位層処理部１４が備える媒体アクセス制御層処理部１５は、ＭＡＣ層の処理を行う。
【００８４】
上位層処理部１４が備える無線リソース制御層処理部１６は、ＲＲＣ層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【００８５】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【００８６】
ＲＦ部１２は、アンテナ部１１を介して受信した信号を、直交復調によりベースバンド信号に変換し（ダウンコンバート：ｄｏｗｎ  ｃｏｖｅｒｔ）、不要な周波数成分を除去する。ＲＦ部１２は、処理をしたアナログ信号をベースバンド部に出力する。
【００８７】
ベースバンド部１３は、ＲＦ部１２から入力されたアナログ信号をディジタル信号に変換する。ベースバンド部１３は、変換したディジタル信号からＣＰ（Ｃｙｃｌｉｃ  Ｐｒｅｆｉｘ）に相当する部分を除去し、ＣＰを除去した信号に対して高速フーリエ変換（ＦＦＴ：Ｆａｓｔ  Ｆｏｕｒｉｅｒ  Ｔｒａｎｓｆｏｒｍ）を行い、周波数領域の信号を抽出する。
【００８８】
ベースバンド部１３は、データを逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）して、ＯＦＤＭシンボルを生成し、生成されたＯＦＤＭシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【００８９】
ＲＦ部１２は、ローパスフィルタを用いてベースバンド部１３から入力されたアナログ信号から余分な周波数成分を除去し、アナログ信号を搬送波周波数にアップコンバート（ｕｐ  ｃｏｎｖｅｒｔ）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【００９０】
以下、本実施形態の一態様に係る基地局装置３の構成例を説明する。
【００９１】
図１２は、本実施形態の基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【００９２】
上位層処理部３４は、ＭＡＣ層、ＰＤＣＰ層、ＲＬＣ層、ＲＲＣ層の処理を行う。
【００９３】
上位層処理部３４が備える媒体アクセス制御層処理部３５は、ＭＡＣ層の処理を行う。
【００９４】
上位層処理部３４が備える無線リソース制御層処理部３６は、ＲＲＣ層の処理を行う。無線リソース制御層処理部３６は、ＰＤＳＣＨに配置される下りリンクデータ（トランスポートブロック）、システム情報、ＲＲＣメッセージ、ＭＡＣ  ＣＥなどを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【００９５】
無線送受信部３０の機能は、無線送受信部１０と同様であるため説明を省略する。
【００９６】
端末装置１が備える符号１０から符号１６が付された部のそれぞれは、回路として構成されてもよい。基地局装置３が備える符号３０から符号３６が付された部のそれぞれは、回路として構成されてもよい。
【００９７】
以下、本実施形態に係る初期接続の手順の一例を説明する。
【００９８】
基地局装置３は、基地局装置３によって制御される通信可能範囲（または、通信エリア）を備える。通信可能範囲は、１、または、複数のセル（または、サービングセル、サブセル、ビーム等）に分割され、セルごとに端末装置１との通信を管理することができる。一方、端末装置１は、複数のセルの中から少なくとも１つのセルを選択し、基地局装置３との接続確立を試みる。ここで、端末装置１と基地局装置３の少なくとも１つのセルとの接続が確立された第１の状態は、ＲＲＣ接続（ＲＲＣ  Ｃｏｎｎｅｃｔｉｏｎ）とも呼称される。また、端末装置１が基地局装置３のどのセルとの接続も確立されていない第２の状態は、ＲＲＣアイドルとも呼称される。また、端末装置１と基地局装置３の少なくとも１つのセルとの接続が確立されているが、端末装置１と基地局装置３の間で一部の機能が制限される第３の状態は、ＲＲＣ中断（ＲＲＣ  ｓｕｓｐｅｎｄｅｄ）とも呼称される。ＲＲＣ中断は、ＲＲＣ不活性（ＲＲＣ  ｉｎａｃｔｉｖｅ）とも呼称される。
【００９９】
ＲＲＣアイドルの端末装置１は、基地局装置３の少なくとも１つのセルとの接続確立を試みてもよい。ここで、端末装置１が接続を試みるセルは、ターゲットセルとも呼称される。図１３は、本実施形態の一態様に係る第１の初期接続手順（４−ｓｔｅｐ  ｃｏｎｔｅｎｔｉｏｎ  ｂａｓｅｄ  ＲＡＣＨ  ｐｒｏｃｅｄｕｒｅ）の一例を示す図である。第１の初期接続手順は、ステップ５１０１〜５１０４の一部を少なくとも含んで構成される。
【０１００】
ステップ５１０１は、端末装置１がターゲットセルに物理チャネルを介して、初期接続のための応答を要求するステップである。または、ステップ５１０１は、端末装置１がターゲットセルに物理チャネルを介して最初の送信を行うステップである。ここで、該物理チャネルは、例えば、ＰＲＡＣＨであってもよい。該物理チャネルは、初期接続のための応答を要求するために専用的に用いられるチャネルであってもよい。また、該物理チャネルは、ＰＲＡＣＨであってもよい。ステップ５１０１において、端末装置１より該物理チャネルを介して送信されるメッセージは、ランダムアクセスメッセージ１とも呼称される。ランダムアクセスメッセージ１は、上位層シグナリング（上位層パラメータ）によって設定されたランダムアクセスプリアンブルであってもよい。
【０１０１】
端末装置１は、ステップ５１０１の実施に先立って、下りリンクの時間周波数同期を行う。第１の状態において端末装置１が下りリンクの時間周波数同期を行うために同期信号が用いられる。
【０１０２】
同期信号は、ターゲットセルのＩＤ（セルＩＤ）を含んで送信されてもよい。同期信号は、セルＩＤに少なくとも基づき生成される系列を含んで送信されてもよい。同期信号がセルＩＤを含むことは、セルＩＤに基づき同期信号の系列が与えられることであってもよい。同期信号は、ビーム（または、プレコーダ）が適用され、送信されてもよい。
【０１０３】
ビームは、方向に応じてアンテナ利得が異なる現象を示す。ビームは、アンテナの指向性に少なくとも基づき与えられてもよい。また、ビームは、搬送波信号の位相変換に少なくとも基づき与えられてもよい。また、ビームは、プレコーダが適用されることにより与えられてもよい。
【０１０４】
端末装置１は、ターゲットセルより送信されるＰＢＣＨを受信する。ＰＢＣＨは、端末装置１がターゲットセルと接続するために用いられる重要なシステム情報を含む重要情報ブロック（ＭＩＢ：Ｍａｓｔｅｒ  Ｉｎｆｏｒｍａｔｉｏｎ  Ｂｌｏｃｋ、ＥＩＢ：Ｅｓｓｅｎｔｉａｌ  Ｉｎｆｏｒｍａｔｉｏｎ  Ｂｌｏｃｋ）を含んで送信されてもよい。重要情報ブロックは、システム情報である。重要情報ブロックは、無線フレームの番号に関する情報を含んでもよい。重要情報ブロックは、複数の無線フレームで構成されるスーパーフレーム内における位置に関する情報（例えば、スーパーフレーム内におけるシステムフレーム番号（ＳＦＮ：Ｓｙｓｔｅｍ  Ｆｒａｍｅ  Ｎｕｍｂｅｒ）の少なくとも一部を示す情報）を含んでもよい。また、ＰＢＣＨは、同期信号のインデックスを含んでもよい。ＰＢＣＨは、ＰＤＣＣＨの受信に関連する情報を含んでもよい。重要情報ブロックは、トランスポートチャネルにおいてＢＣＨにマップされてもよい。重要情報ブロックは、ロジカルチャネルにおいてＢＣＣＨにマップされてもよい。
【０１０５】
ＰＤＣＣＨの受信に関連する情報は、制御リソースセットを示す情報を含んでもよい。制御リソースセットを示す情報は、制御リソースセットがマップされるＰＲＢの数に関する情報を含んでもよい。制御リソースセットを示す情報は、制御リソースセットのマッピングを示す情報を含んでもよい。制御リソースセットを示す情報は、制御リソースセットがマップされるＯＦＤＭシンボルの数に関連する情報を含んでもよい。制御リソースセットを示す情報は、制御リソースセットがマップされるスロットの周期（ｐｅｒｉｏｄｉｃｉｔｙ）を示す情報を含んでもよい。端末装置１は、ＰＢＣＨに含まれる制御リソースセットを示す情報に少なくとも基づき、ＰＤＣＣＨの受信を試みることができる。
【０１０６】
ＰＤＣＣＨの受信に関連する情報は、ＰＤＣＣＨの宛先を指示するＩＤに関連する情報を含んでもよい。ＰＤＣＣＨの宛先を指示するＩＤは、ＰＤＣＣＨに付加されるＣＲＣビットのスクランブルに用いられるＩＤであってもよい。ＰＤＣＣＨの宛先を指示するＩＤは、ＲＮＴＩ（Ｒａｄｉｏ  Ｎｅｔｗｏｒｋ  Ｔｅｍｐｏｒａｒｙ  Ｉｄｅｎｔｉｆｉｅｒ）とも呼称される。ＰＤＣＣＨに付加されるＣＲＣビットのスクランブルに用いられるＩＤに関連する情報を含んでもよい。端末装置１は、ＰＢＣＨに含まれる該ＩＤに関連する情報に少なくとも基づき、ＰＤＣＣＨの受信を試みることができる。
【０１０７】
ＲＮＴＩは、ＳＩ−ＲＮＴＩ（Ｓｙｓｔｅｍ  Ｉｎｆｏｒｍａｔｉｏｎ  −  ＲＮＴＩ）、Ｐ−ＲＮＴＩ（Ｐａｇｉｎｇ  −  ＲＮＴＩ）、Ｃ−ＲＮＴＩ（Ｃｏｍｍｏｎ  −  ＲＮＴＩ）、Ｔｅｍｐｏｒａｒｙ  Ｃ−ＲＮＴＩ、ＲＡ−ＲＮＴＩ（Ｒａｎｄｏｍ  Ａｃｃｅｓｓ  −  ＲＮＴＩ）を含んでもよい。ＳＩ−ＲＮＴＩは、システム情報を含んで送信されるＰＤＳＣＨのスケジューリングのために少なくとも用いられる。Ｐ−ＲＮＴＩは、ページング情報、および／または、システム情報の変更通知等の情報を含んで送信されるＰＤＳＣＨのスケジューリングのために少なくとも用いられる。Ｃ−ＲＮＴＩは、ＲＲＣ接続された端末装置１に対して、ユーザーデータをスケジューリングするために少なくとも用いられる。Ｔｅｍｐｏｒａｒｙ  Ｃ−ＲＮＴＩは、ランダムアクセスメッセージ４のスケジューリングのために少なくとも用いられる。Ｔｅｍｐｏｒａｒｙ  Ｃ−ＲＮＴＩは、ロジカルチャネルにおけるＣＣＣＨにマップされるデータを含むＰＤＳＣＨをスケジューリングするために少なくとも用いられる。ＲＡ−ＲＮＴＩは、ランダムアクセスメッセージ２のスケジューリングのために少なくとも用いられる。
【０１０８】
ＰＤＣＣＨの受信に関連する情報は、制御リソースセットに含まれる探索領域の集約レベルに関する情報を含んでもよい。端末装置１は、ＰＢＣＨに含まれる制御リソースセットに含まれる探索領域の集約レベルに関する情報に少なくとも基づき、受信を試みるべきＰＤＣＣＨ候補の集約レベルを特定し、探索領域を決定することができる。
【０１０９】
ＰＤＣＣＨの受信に関連する情報は、ＣＣＥを構成するＲＥＧのマッピング方法に関連する情報を含んでもよい。ＣＣＥを構成するＲＥＧのマッピング方法に関連する情報は、連続的なマッピングと非連続的なマッピングを示す情報を含んでもよい。ＣＣＥを構成するＲＥＧのマッピング方法に関連する情報は、ＣＣＥを構成するＲＥＧのマッピング方法がＴｉｍｅ  ｆｉｒｓｔのマッピングであるかＦｒｅｑｕｅｎｃｙ  ｆｉｒｓｔのマッピングであるかを示す情報を含んでもよい。
【０１１０】
ＰＤＣＣＨの受信に関連する情報は、ＲＥＧのグループに関連する情報を含んでもよい。ＰＤＣＣＨの受信に関連する情報は、周波数領域のＲＥＧのグループを構成するＲＥＧ数を示す情報を含んでもよい。ＰＤＣＣＨの受信に関連する情報は、時間領域のＲＥＧのグループを構成するＲＥＧ数を示す情報を含んでもよい。
【０１１１】
ＲＥＧのグループに関連する情報は、第１の設定、第２の設定、および、第３の設定の少なくとも一部または全部を含んでもよい。第１の設定は、設定１Ａから設定１Ｈの一部または全部を少なくとも示す。（設定１Ａ）周波数領域におけるＲＥＧのグループを構成するＲＥＧ数が、制御リソースセットを構成するＰＲＢの数と等しいこと。（設定１Ｂ）時間領域におけるＲＥＧのグループを構成するＲＥＧ数が、制御リソースセットを構成するＯＦＤＭシンボルの数と等しいこと。（設定１Ｃ）制御リソースセット内の物理リソース（ＣＣＥ、ＲＥＧ等）に適用されるプレコーダが同一であると端末装置１が想定すること。または、制御リソースセット内の全ての物理リソース（ＣＣＥ、ＲＥＧ等）に適用されるプレコーダが同一であると端末装置１が想定すること。（設定１Ｄ）制御リソースセットにおいてＰＤＣＣＨが検出されるか否かに関わらず、該制御リソースセットに対応する参照信号が送信されていると端末装置１が想定すること。または、制御リソースセットに対応する参照信号が常に送信されていると端末装置１が想定すること。（設定１Ｅ）制御リソースセットに対応する参照信号が、時間周波数領域のトラッキング（時間周波数領域のキャリブレーション）に用いられること。（設定１Ｆ）周波数領域、および／または、時間領域のＲＥＧのグループが、少なくとも２つ以上のＣＣＥをまたいで構成されること。（設定１Ｇ）制御リソースセットに含まれる参照信号が、上位層のチャネル測定（ｍｅａｓｕｒｅｍｅｎｔ）に用いられること。（設定１Ｈ）制御リソースセットに含まれるＰＤＣＣＨの送信アンテナポート数が、１、２、または、４に設定されること。
【０１１２】
設定１Ｇにおいて、上位層のチャネル測定は、例えば、ＲＳＲＰ（Ｒｅｆｅｒｅｎｃｅ  Ｓｉｇｎａｌ  Ｒｅｃｅｉｖｅｄ  Ｐｏｗｅｒ）を含んでもよい。
【０１１３】
第１の設定において、制御リソースセットに対応するＲＳはＳｈａｒｅｄ  ＲＳであってもよい。第１の設定において、制御リソースセットに含まれるＲＳはＳｈａｒｅｄ  ＲＳであってもよい。
【０１１４】
第２の設定は、設定２Ａから２Ｃの一部または全部を少なくとも示す。（設定２Ａ）周波数領域におけるＲＥＧのグループを構成するＲＥＧ数（設定２Ｂ）時間領域におけるＲＥＧのグループを構成するＲＥＧ数（設定２Ｃ）制御リソースセットに含まれるＰＤＣＣＨの送信アンテナポート数
第３の設定は、周波数領域のＲＥＧのグループを構成するＲＥＧ数、および／または、時間領域のＲＥＧのグループを構成するＲＥＧ数が、制御リソースセットの種々のパラメータに少なくとも基づき与えられることを示す。制御リソースセットの種々のパラメータは、ＰＤＣＣＨの受信に関連する情報に含まれてもよい。制御リソースセットの種々のパラメータは、制御リソースセットに含まれるＰＲＢ数を含んでもよい。制御リソースセットの種々のパラメータは、制御リソースセットに含まれるＯＦＤＭシンボル数を含んでもよい。制御リソースセットの種々のパラメータは、ＣＣＥを構成するＲＥＧのマッピング方法を含んでもよい。制御リソースセットの種々のパラメータは、制御リソースセットに含まれるＰＤＣＣＨの送信アンテナポート数を含んでもよい。制御リソースセットの種々のパラメータは、制御リソースセットに含まれる探索領域の集約レベルを含んでもよい。
【０１１５】
制御リソースセットＢに含まれるＰＤＣＣＨが制御リソースセットＡに対応する参照信号ＡのためのＲＥにマップされるか否かは、該制御リソースセットＡに第１の設定、第２の設定、または、第３の設定のいずれが適用されるかに少なくとも基づき与えられてもよい。
【０１１６】
さらに、該ＰＤＣＣＨが該参照信号ＡのためのＲＥにマップされるか否かは、該参照信号ＡのためのＲＥおよび該ＰＤＣＣＨのために用いられるＲＥが重複しているか否かに基づいてもよい。該ＰＤＣＣＨは、該ＰＤＣＣＨに対応する参照信号Ｂを含まなくてもよい。
【０１１７】
制御リソースセットＢに含まれるＰＤＣＣＨによりスケジューリングされるＰＤＳＣＨが制御リソースセットＡに対応する参照信号のためのＲＥにマップされるか否かは、該制御リソースセットＡに第１の設定、第２の設定、または、第３の設定のいずれが適用されるかに少なくとも基づき与えられてもよい。さらに、該ＰＤＳＣＨが該ＲＥにマップされるか否かは、該ＲＥおよび該ＰＤＳＣＨのために用いられるＲＥが重複しているか否かに基づいてもよい。
【０１１８】
さらに、該ＰＤＳＣＨが該参照信号ＡのためのＲＥにマップされるか否かは、該参照信号ＡのためのＲＥおよび該ＰＤＳＣＨのために用いられるＲＥが重複しているか否かに基づいてもよい。該ＰＤＳＣＨは、該ＰＤＳＣＨに対応する参照信号Ｂを含まなくてもよい。
【０１１９】
制御リソースセットＡに第１の設定が適用された場合、制御リソースセットＡに含まれるＰＤＣＣＨは、該制御リソースセットＡに対応する参照信号のためのＲＥにマップされなくてもよい。制御リソースセットＡに第１の設定が適用された場合、制御リソースセットＡに含まれるＰＤＣＣＨは、制御リソースセットＢに対応する参照信号のためのＲＥにマップされてもよい。制御リソースセットＡに第１の設定が適用された場合、制御リソースセットＢに含まれるＰＤＣＣＨは、該ＰＤＣＣＨに対応する参照信号のためのＲＥ、および／または、該制御リソースセットＡに対応する参照信号のためのＲＥにマップされなくてもよい。制御リソースセットに対応する参照信号のためのＲＥは、該制御リソースセットに含まれるＰＤＣＣＨがマップされないＲＥであってもよい。ＰＤＣＣＨに対応する参照信号のためのＲＥは、該ＰＤＣＣＨがマップされないＲＥであってもよい。
【０１２０】
制御リソースセットＡに第１の設定が適用された場合、制御リソースセットＡに含まれるＰＤＣＣＨによりスケジューリングされるＰＤＳＣＨは、該制御リソースセットＡに対応する参照信号のためのＲＥ、および／または、該ＰＤＳＣＨに対応する参照信号のためのＲＥにマップされなくてもよい。制御リソースセットＡに第１の設定が適用された場合、制御リソースセットＡに含まれるＰＤＣＣＨによりスケジューリングされるＰＤＳＣＨは、制御リソースセットＢに対応する参照信号のためのＲＥにマップされてもよい。制御リソースセットＡに第１の設定が適用された場合、制御リソースセットＢに含まれるＰＤＣＣＨによりスケジューリングされるＰＤＳＣＨは、該ＰＤＳＣＨに対応する参照信号のためのＲＥ、該制御リソースセットＡに対応する参照信号のためのＲＥ、および／または、該ＰＤＣＣＨに対応する参照信号のためのＲＥにマップされなくてもよい。ＰＤＳＣＨに対応する参照信号のためのＲＥは、該ＰＤＳＣＨがマップされないＲＥであってもよい。
【０１２１】
制御リソースセットＡに第２の設定が適用された場合、制御リソースセットＡに含まれるＰＤＣＣＨは、該ＰＤＣＣＨに対応する参照信号のためのＲＥにマップされなくてもよい。制御リソースセットＡに第２の設定が適用された場合、制御リソースセットＡに含まれるＰＤＣＣＨは、制御リソースセットＢに対応する参照信号のためのＲＥにマップされてもよい。制御リソースセットＡに第２の設定が適用された場合、制御リソースセットＢに含まれるＰＤＣＣＨは、該ＰＤＣＣＨに対応する参照信号のためのＲＥにマップされなくてもよい。制御リソースセットＡに第２の設定が適用された場合、制御リソースセットＢに含まれるＰＤＣＣＨは、制御リソースセットＡに対応する参照信号のためのＲＥにマップされてもよい。
【０１２２】
制御リソースセットＡに第２の設定が適用された場合、制御リソースセットＡに含まれるＰＤＣＣＨによりスケジューリングされるＰＤＳＣＨは、該ＰＤＣＣＨに対応する参照信号のためのＲＥ、および／または、該ＰＤＳＣＨに対応する参照信号のためのＲＥにマップされなくてもよい。制御リソースセットＡに第２の設定が適用された場合、制御リソースセットＡに含まれるＰＤＣＣＨによりスケジューリングされるＰＤＳＣＨは、制御リソースセットＢに対応する参照信号のためのＲＥにマップされてもよい。制御リソースセットＡに第２の設定が適用された場合、制御リソースセットＢに含まれるＰＤＣＣＨによりスケジューリングされるＰＤＳＣＨは、該ＰＤＳＣＨに対応する参照信号のためのＲＥ、および／または、該ＰＤＳＣＨに対応する参照信号のためのＲＥにマップされなくてもよい。制御リソースセットＡに第２の設定が適用された場合、制御リソースセットＢに含まれるＰＤＣＣＨによりスケジューリングされるＰＤＳＣＨは、制御リソースセットＡに対応する参照信号のためのＲＥにマップされてもよい。
【０１２３】
制御リソースセットＡに第３の設定が適用された場合、制御リソースセットＡに含まれるＰＤＣＣＨは、該ＰＤＣＣＨに対応する参照信号のためのＲＥにマップされなくてもよい。制御リソースセットＡに第３の設定が適用された場合、制御リソースセットＡに含まれるＰＤＣＣＨは、制御リソースセットＢに対応する参照信号のためのＲＥにマップされてもよい。制御リソースセットＡに第３の設定が適用された場合、制御リソースセットＢに含まれるＰＤＣＣＨは、該ＰＤＣＣＨに対応する参照信号のためのＲＥにマップされなくてもよい。制御リソースセットＡに第３の設定が適用された場合、制御リソースセットＢに含まれるＰＤＣＣＨは、制御リソースセットＡに対応する参照信号のためのＲＥにマップされてもよい。
【０１２４】
制御リソースセットＡに第３の設定が適用された場合、制御リソースセットＡに含まれるＰＤＣＣＨによりスケジューリングされるＰＤＳＣＨは、該ＰＤＣＣＨに対応する参照信号のためのＲＥ、および／または、該ＰＤＳＣＨに対応する参照信号のためのＲＥにマップされなくてもよい。制御リソースセットＡに第３の設定が適用された場合、制御リソースセットＡに含まれるＰＤＣＣＨによりスケジューリングされるＰＤＳＣＨは、制御リソースセットＢに対応する参照信号のためのＲＥにマップされてもよい。制御リソースセットＡに第３の設定が適用された場合、制御リソースセットＢに含まれるＰＤＣＣＨによりスケジューリングされるＰＤＳＣＨは、該ＰＤＣＣＨに対応する参照信号のためのＲＥ、および／または、該ＰＤＳＣＨに対応する参照信号のためのＲＥにマップされなくてもよい。制御リソースセットＡに第３の設定が適用された場合、制御リソースセットＢに含まれるＰＤＣＣＨによりスケジューリングされるＰＤＳＣＨは、制御リソースセットＡに対応する参照信号のためのＲＥにマップされてもよい。
【０１２５】
制御リソースセットに対応する参照信号は、制御リソースセットに含まれる複数のＰＤＣＣＨ候補に対応してもよい。制御リソースセットに対応する参照信号は、制御リソースセットに含まれる複数のＰＤＣＣＨの復調に用いられてもよい。
【０１２６】
基地局装置３は、ＰＤＣＣＨの受信に関連する情報を含むＰＢＣＨを送信し、端末装置１に第１の制御リソースセットのモニタリングを指示することができる。端末装置１は、ＰＢＣＨに含まれるＰＤＣＣＨの受信に関連する情報を検出することに少なくとも基づき、第１の制御リソースセットのモニタリングを実施する。第１の制御リソースセットは、第１のシステム情報のスケジューリングのために少なくとも用いられる。第１のシステム情報は、端末装置１がターゲットセルに接続するために重要なシステム情報を含んでもよい。第１のシステム情報は、下りリンクの種々の設定に関する情報を含んでもよい。第１のシステム情報は、ＰＲＡＣＨの種々の設定に関する情報を含んでもよい。第１のシステム情報は、上りリンクの種々の設定に関する情報を含んでもよい。第１のシステム情報は、ランダムアクセスメッセージ３送信に設定される信号波形の情報（ＯＦＤＭまたはＤＦＴ−ｓ−ＯＦＤＭ）を含んでもよい。第１のシステム情報は、ＭＩＢに含まれる情報以外のシステム情報の一部を少なくとも含んでもよい。第１のシステム情報は、トランスポートチャネルにおいて、ＢＣＨにマップされてもよい。第１のシステム情報は、ロジカルチャネルにおいてＢＣＣＨにマップされてもよい。第１のシステム情報は、ＳＩＢ１（Ｓｙｓｔｅｍ  Ｉｎｆｏｒｍａｔｉｏｎ  Ｂｌｏｃｋ  ｔｙｐｅ１）を少なくとも含んでもよい。第１のシステム情報は、ＳＩＢ２（Ｓｙｓｔｅｍ  Ｉｎｆｏｒｍａｔｉｏｎ  Ｂｌｏｃｋ  ｔｙｐｅ２）を少なくとも含んでもよい。第１の制御リソースセットは、ランダムアクセスメッセージ２のスケジューリングのために用いられてもよい。なお、ＳＩＢ１は、ＲＲＣ接続を行なうために必要な測定に関する情報を含んでもよい。また、ＳＩＢ２は、セル内の複数の端末装置１間で、共通、および／または、共有されるチャネルに関する情報を含んでもよい。
【０１２７】
端末装置１は、ＰＤＣＣＨの受信に関連する情報に少なくとも基づき、ＰＤＣＣＨのモニタリングを行ってもよい。端末装置１は、ＲＥＧのグループに関連する情報に少なくとも基づき、ＰＤＣＣＨのモニタリングを行ってもよい。ＰＤＣＣＨの受信に関連する情報に少なくとも基づき、ＰＤＣＣＨのモニタリングのために第１の設定、第２の設定、または、第３の設定のいずれが適用されるかが与えられてもよい。端末装置１は、ＰＤＣＣＨの受信に関連する情報に少なくとも基づき、ＰＤＣＣＨのモニタリングのために適用される設定を想定してもよい。
【０１２８】
例えば、制御リソースセットの周波数帯域が同期信号、および／または、ＰＢＣＨの周波数帯域に基づき与えられるか否かに少なくとも基づき、ＰＤＣＣＨのモニタリングのために第１の設定、第２の設定、または、第３の設定のいずれが適用されるかが与えられてもよい。例えば、制御リソースセットの周波数帯域が同期信号、および／または、ＰＢＣＨの周波数帯域に少なくとも基づき与えられる場合に、ＰＤＣＣＨのモニタリングのために第１の設定が適用されてもよい。また、制御リソースセットの周波数帯域が同期信号、および／または、ＰＢＣＨの周波数帯域と同一である場合に、ＰＤＣＣＨのモニタリングのために第１の設定が適用されてもよい。また、制御リソースセットの周波数帯域が同期信号、および／または、ＰＢＣＨの周波数帯域に基づかない場合に、第３の設定が適用されてもよい。
【０１２９】
例えば、制御リソースセットの周波数帯域が同期信号、および／または、ＰＢＣＨの周波数帯域の一部または全部と重複するか否かに少なくとも基づき、ＰＤＣＣＨのモニタリングのために第１の設定、第２の設定、または、第３の設定のいずれが適用されるかが与えられてもよい。例えば、制御リソースセットの周波数帯域が同期信号、および／または、ＰＢＣＨの周波数帯域の一部または全部と重複する場合に、ＰＤＣＣＨのモニタリングのために第１の設定が適用されてもよい。また、制御リソースセットの周波数帯域が同期信号、および／または、ＰＢＣＨの周波数帯域と異なる場合に、第３の設定が適用されてもよい。
【０１３０】
例えば、制御リソースセットにおけるＰＤＣＣＨのモニタリングのために用いられるＲＮＴＩに少なくとも基づき、ＰＤＣＣＨのモニタリングのために第１の設定、第２の設定、または、第３の設定のいずれが適用されるかが与えられてもよい。例えば、制御リソースセットにおけるＰＤＣＣＨのモニタリングのために少なくともＳＩ−ＲＮＴＩが用いられる場合に、第１の設定が適用されてもよい。また、制御リソースセットにおけるＰＤＣＣＨのモニタリングのために少なくともＰ−ＲＮＴＩが用いられる場合に、第１の設定が適用されてもよい。
【０１３１】
例えば、制御リソースセットに含まれるＣＣＥを構成するＲＥＧのマッピング方法に少なくとも基づき、ＰＤＣＣＨのモニタリングのために第１の設定、第２の設定、または、第３の設定のいずれが適用されるかが与えられてもよい。例えば、制御リソースセットに含まれるＣＣＥを構成するＲＥＧのマッピング方法が非連続的なマッピング（ｄｉｓｔｒｉｂｕｔｅｄ  ｍａｐｐｉｎｇ）である場合に、ＰＤＣＣＨのモニタリングのために第１の設定が適用されてもよい。また、制御リソースセットに含まれるＣＣＥを構成するＲＥＧのマッピング方法が連続的なマッピング（ｌｏｃａｌｉｚｅｄ  ｍａｐｐｉｎｇ）である場合に、ＰＤＣＣＨのモニタリングのために第３の設定が適用されてもよい。例えば、制御リソースセットに含まれるＣＣＥを構成するＲＥＧのマッピング方法がＦｒｅｑｕｅｎｃｙ  ｆｉｒｓｔである場合に、ＰＤＣＣＨのモニタリングのために第１の設定が適用されてもよい。また、制御リソースセットに含まれるＣＣＥを構成するＲＥＧのマッピング方法がＴｉｍｅ  ｆｉｒｓｔである場合に、ＰＤＣＣＨのモニタリングのために第３の設定が適用されてもよい。
【０１３２】
例えば、制御リソースセットに含まれるＯＦＤＭシンボル数に少なくとも基づき、制御リソースセットに含まれるＣＣＥを構成するＲＥＧのマッピング方法が与えられてもよい。例えば、制御リソースセットに含まれるＯＦＤＭシンボル数が１である場合に、制御リソースセットに含まれるＣＣＥを構成するＲＥＧのマッピング方法はＦｒｅｑｕｅｎｃｙ
ｆｉｒｓｔであってもよい。また、ＯＦＤＭシンボル数が１より大きい場合に、制御リソースセットに含まれるＣＣＥを構成するＲＥＧのマッピング方法はＴｉｍｅ  ｆｉｒｓｔであってもよい。
【０１３３】
基地局装置３は、ＭＩＢ、および／または、第１のシステム情報を送信し、端末装置１に第２の制御リソースセットのモニタリングを指示することができる。第１のシステム情報は、ＰＤＣＣＨの受信に関連する情報を含んでもよい。端末装置１は、ＭＩＢ、および／または、第１のシステム情報に含まれるＰＤＣＣＨの受信に関連する情報に少なくとも基づき第２の制御リソースセットのモニタリングを実施する。第２の制御リソースセットは、ページング情報、および／または、システム情報の変更通知のための情報を含むＰＤＳＣＨをスケジューリングするために用いられてもよい。第２の制御リソースセットと第１の制御リソースセットは同一であってもよい。
【０１３４】
基地局装置３は、ＭＩＢ、および／または、第１のシステム情報を送信し、端末装置１に第３の制御リソースセットのモニタリングを指示することができる。端末装置１は、ＭＩＢ、および／または、第１のシステム情報に含まれるＰＤＣＣＨの受信に関連する情報に少なくとも基づき第３の制御リソースセットのモニタリングを実施する。第３の制御リソースセットは、第２のシステム情報を含むＰＤＳＣＨをスケジューリングするために用いられてもよい。第２のシステム情報は、ＭＩＢおよび第１のシステム情報に含まれないシステム情報であってもよい。第２のシステム情報は、端末装置１の要求に少なくとも基づき送信されてもよい。該端末装置１の要求は、ランダムアクセスメッセージ１、ランダムアクセスメッセージ３、および／または、ＰＵＣＣＨの送信に少なくとも基づき行われてもよい。第３の制御リソースセットは、第１の制御リソースセット、および／または、第２の制御リソースセットと同一であってもよい。
【０１３５】
ステップ５１０２は、基地局装置３が端末装置１に対して、ランダムアクセスメッセージ１への応答を行うステップである。該応答は、ランダムアクセスメッセージ２とも呼称される。ランダムアクセスメッセージ２は、ＰＤＳＣＨを介して送信されてもよい。ランダムアクセスメッセージ２を含むＰＤＳＣＨは、ＰＤＣＣＨによりスケジューリングされる。該ＰＤＣＣＨに含まれるＣＲＣビットは、ＲＡ−ＲＮＴＩによりスクランブルされてもよい。ランダムアクセスメッセージ２は、特別な上りリンクグラントを含んで送信されてもよい。該特別な上りリンクグラントは、ランダムアクセスレスポンスグラントとも呼称される。該特別な上りリンクグラントは、ランダムアクセスメッセージ２を含むＰＤＳＣＨに含まれてもよい。ランダムアクセスレスポンスグラントは、少なくともＴｅｍｐｏｒａｒｙ  Ｃ−ＲＮＴＩを含んでもよい。
【０１３６】
基地局装置３は、ＭＩＢ、第１のシステム情報、および／または、第２のシステム情報を送信し、端末装置１に第４の制御リソースセットのモニタリングを指示することができる。第２のシステム情報は、ＰＤＣＣＨの受信に関連する情報を含んでもよい。端末装置１は、ＭＩＢ、第１のシステム情報、および／または、第２のシステム情報に含まれるＰＤＣＣＨの受信に関連する情報に少なくとも基づき第４の制御リソースセットのモニタリングを実施する。該ＰＤＣＣＨに付加されるＣＲＣビットは、Ｔｅｍｐｏｒａｒｙ  Ｃ−ＲＮＴＩによりスクランブルされてもよい。第４の制御リソースセットは、ランダムアクセスメッセージ２のスケジューリングのために用いられてもよい。第４の制御リソースセットは、第１の制御リソースセット、第２の制御リソースセット、および／または、第３の制御リソースセットと同一であってもよい。
【０１３７】
第４の制御リソースセットは、さらに、端末装置１より送信されるランダムアクセスメッセージ１に含まれる物理ルートインデックスｕ、および／または、該ランダムアクセスメッセージ１の送信に用いられるリソース（ＰＲＡＣＨのリソース）に少なくとも基づき与えられてもよい。ここで、該ランダムアクセスメッセージ１は、第４の制御リソースセットのモニタリングに対応してもよい。また、該リソースは、時間、および／または、周波数のリソースを示してもよい。該リソースは、リソースブロックのインデックス、および／または、スロット（サブフレーム）のインデックスにより与えられてもよい。時間該第４の制御リソースセットのモニタリングは、該ランダムアクセスメッセージ１はによりトリガされてもよい。
【０１３８】
ステップ５１０３は、端末装置１がターゲットセルに対して、ＲＲＣ接続のリクエストを送信するステップである。該ＲＲＣ接続のリクエストは、ランダムアクセスメッセージ３とも呼称される。ランダムアクセスメッセージ３は、ランダムアクセスレスポンスグラントによりスケジューリングされるＰＵＳＣＨを介して送信されてもよい。ランダムアクセスメッセージ３は、端末装置１の識別に用いられるＩＤを含んでもよい。該ＩＤは、上位層で管理されるＩＤであってもよい。該ＩＤは、Ｓ−ＴＭＳＩ（ＳＡＥ  Ｔｅｍｐｏｒａｒｙ  Ｍｏｂｉｌｅ  Ｓｕｂｓｃｒｉｂｅｒ  Ｉｄｅｎｔｉｔｙ）であってもよい。該ＩＤは、ロジカルチャネルにおいてＣＣＣＨにマップされてもよい。
【０１３９】
ステップ５１０４は、基地局装置３が端末装置１に対して、衝突解決メッセージ（Ｃｏｎｔｅｎｔｉｏｎ  ｒｅｓｏｌｕｔｉｏｎ  ｍｅｓｓａｇｅ）を送信するステップである。衝突解決メッセージは、ランダムアクセスメッセージ４とも呼称される。端末装置１は、ランダムアクセスメッセージ３送信後に、ランダムアクセスメッセージ４を含むＰＤＳＣＨをスケジューリングするＰＤＣＣＨのモニタリングを行う。ランダムアクセスメッセージ４は、衝突回避用ＩＤが含まれてもよい。ここで、衝突回避用ＩＤは、複数の端末装置１が同一の無線リソースを用いて信号を送信する衝突を解決するために用いられる。衝突回避用ＩＤは、ＵＥ  ｃｏｎｔｅｎｔｉｏｎ  ｒｅｓｏｌｕｔｉｏｎ  ｉｄｅｎｔｉｔｙとも呼称される。
【０１４０】
ステップ５１０４において、端末装置１の識別に用いられるＩＤ（例えば、Ｓ−ＴＭＳＩ）を含むランダムアクセスメッセージ３を送信した該端末装置１は、衝突解決メッセージを含むランダムアクセスメッセージ４をモニタする。該ランダムアクセスメッセージ４に含まれる衝突回避用ＩＤが、該端末装置１の識別に用いられる該ＩＤと等しい場合に、該端末装置１は衝突解決が成功裏に完了したとみなし、Ｃ−ＲＮＴＩフィールドにＴｅｍｐｏｒａｒｙ  Ｃ−ＲＮＴＩの値をセットしてもよい。Ｃ−ＲＮＴＩフィールドにＴｅｍｐｏｒａｒｙ  Ｃ−ＲＮＴＩの値がセットされた端末装置１は、ＲＲＣ接続が完了したとみなされる。
【０１４１】
ランダムアクセスメッセージ４をスケジューリングするＰＤＣＣＨのモニタリングのための制御リソースセットは、第４の制御リソースセットと同一であってもよい。基地局装置３は、ＰＤＣＣＨの受信に関連する情報をランダムアクセスメッセージ２に含んで送信し、端末装置１に第５の制御リソースセットのモニタリングを指示することができる。端末装置１は、ランダムアクセスメッセージ２に含まれるＰＤＣＣＨの受信に関連する情報に少なくとも基づきＰＤＣＣＨのモニタリングを実施する。第５の制御リソースセットは、ランダムアクセスメッセージ５のスケジューリングのために用いられてもよい。
【０１４２】
ＲＲＣ接続された端末装置１は、ロジカルチャネルにおいてＤＣＣＨにマップされる専用ＲＲＣシグナリングを受信することができる。基地局装置３は、ＰＤＣＣＨの受信に関連する情報を含む専用ＲＲＣシグナリングを送信し、端末装置１に第６の制御リソースセットのモニタリングを指示することができる。端末装置１は、専用ＲＲＣシグナリングに含まれるＰＤＣＣＨの受信に関連する情報に少なくとも基づきＰＤＣＣＨのモニタリングを実施してもよい。第６の制御リソースセットは、第２の設定、または、第３の設定が適用されてもよい。第６の制御リソースセットの物理リソースは、Ｃ−ＲＮＴＩに少なくとも基づき与えられてもよい。
【０１４３】
基地局装置３は、ＰＤＣＣＨの受信に関連する情報を含むランダムアクセスメッセージ４を送信し、端末装置１に第６の制御リソースセットのモニタリングを指示することができる。端末装置１は、ランダムアクセスメッセージ４にＰＤＣＣＨの受信に関連する情報が含まれる場合に、該ＰＤＣＣＨの受信に関連する情報に少なくとも基づき、第６の制御リソースセットのモニタリングを実施してもよい。また、端末装置１は、ランダムアクセスメッセージ４にＰＤＣＣＨの受信に関連する情報が含まれない場合に、第１から第５の制御リソースセット少なくともいずれかの制御リソースセットに含まれるＵＳＳのモニタリングを実施してもよい。該ＵＳＳのための物理リソースはＣ−ＲＮＴＩに少なくとも基づき与えられてもよい。第１から第５の制御リソースセットは共通制御リソースセットであってもよい。第６の制御リソースセットは、専用制御リソースセットであってもよい。
【０１４４】
ＰＤＣＣＨの受信に関連する情報は、複数の制御リソースセットに対して共通である情報、および、複数の制御リソースセットのそれぞれに対して設定される情報を含んでもよい。例えば、第１から第４の制御リソースセットに対して適用されるＲＥＧのグループに関連する情報が定義されてもよい。ここで、第１の制御リソースセットに関連するＰＤＣＣＨの受信に関連する情報はＲＥＧのグループに関連する情報を含んでもよく、且つ、第２から第４の制御リソースセットに関連するＰＤＣＣＨの受信に関連する情報はＲＥＧのグループに関連する情報を含まなくてもよい。第１の制御リソースセットに関連するＰＤＣＣＨの受信に関連する情報が、第２から第４の制御リソースセットに対して適用されてもよい。ここで、第５と第６の制御リソースセットの夫々に対して個別にＲＥＧのグループに関連する情報が定義されてもよい。ここで、制御リソースセットを示す情報は、第１から第６の制御リソースセットに対して個別に定義されてもよい。
【０１４５】
以下、本実施形態の一態様に係る種々の装置の態様を説明する。
【０１４６】
（１）上記の目的を達成するために、本発明の態様は、以下のような手段を講じた。すなわち、本発明の第１の態様は、端末装置であって、制御リソースセットにおいてＰＤＣＣＨをモニタする受信部と、前記ＰＤＣＣＨを復号する復号部を備え、前記ＰＤＣＣＨは１または複数のＲＥＧグループにより構成され、前記ＲＥＧグループは複数のＲＥＧにより構成され、前記ＲＥＧグループ内の前記複数のＲＥＧは同一のプレコーダが乗算されて送信され、第１の制御リソースセットにおいて、前記ＲＥＧグループを構成する前記ＲＥＧの数はＰＢＣＨに少なくとも基づき与えられ、前記第１の制御リソースセットに対して第１の設定が適用されるか否かは、ＰＤＣＣＨの受信に関連する情報に基づき与えられ、前記第１の設定は、前記ＲＥＧグループを構成する前記ＲＥＧの数が第１の制御リソースセットに含まれるＰＲＢ数に少なくとも基づき与えられることを示し、第２の制御リソースセットにおいて、前記ＲＥＧグループを構成する前記ＲＥＧの数は専用ＲＲＣシグナリングに少なくとも基づき与えられる。
【０１４７】
（２）また、本発明の第１の態様において、前記第２の制御リソースセットに含まれる前記ＰＤＣＣＨが前記第１の制御リソースセットに対応する参照信号にマップされるか否かは、前記ＲＥＧグループに対して前記第１の設定が適用されるか否かに少なくとも基づき与えられる。
【０１４８】
（３）また、本発明の第２の態様は、基地局装置であって、ＰＤＣＣＨを符号化する符号化部と、制御リソースセットにおいてＰＤＣＣＨを送信する送信部と、を備え、前記ＰＤＣＣＨは１または複数のＲＥＧグループにより構成され、前記ＲＥＧグループは複数のＲＥＧにより構成され、前記ＲＥＧグループ内の前記複数のＲＥＧは同一のプレコーダが乗算されて送信され、第１の制御リソースセットにおいて、前記ＲＥＧグループを構成する前記ＲＥＧの数はＰＢＣＨに少なくとも基づき与えられ、前記第１の制御リソースセットに対して第１の設定が適用されるか否かは、ＰＤＣＣＨの受信に関連する情報に基づき与えられ、前記第１の設定は、前記ＲＥＧグループを構成する前記ＲＥＧの数が第１の制御リソースセットに含まれるＰＲＢ数に少なくとも基づき与えられることを示し、第２の制御リソースセットにおいて、前記ＲＥＧグループを構成する前記ＲＥＧの数は専用ＲＲＣシグナリングに少なくとも基づき与えられる。
【０１４９】
（４）また、本発明の第２の態様において、前記第２の制御リソースセットに含まれる前記ＰＤＣＣＨが前記第１の制御リソースセットに対応する参照信号にマップされるか否かは、前記ＲＥＧグループに対して前記第１の設定が適用されるか否かに少なくとも基づき与えられる。
【０１５０】
本発明の一態様に関わる基地局装置３、および端末装置１で動作するプログラムは、本発明の一態様に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１５１】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１５２】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１５３】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５４】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１５５】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。また、上述した実施形態における基地局装置３は、ＮＧ−ＲＡＮ（NR Radio Access Network, NextGen Radio Access Network）であってもよい。また、上述した実施形態における基地局装置３は、ｇＮＢ（NR NodeB, 5G NodeB）に対する上位ノードの機能の一部または全部を有してもよい。また、上述した実施形態における基地局装置３は、５ＧＣ（5G Core Network）であってもよい。また、上述した実施形態における基地局装置３は、ＮＧＣ（NR Core Network, NextGen Core Network）であってもよい。
【０１５６】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１５７】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１５８】
以上、この発明の実施形態に関して図面を参照して詳述してきたが、具体的な構成はこの実施形態に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１５９】
本発明の一態様は、例えば、通信システム、通信機器（例えば、携帯電話装置、基地局装置、無線ＬＡＮ装置、或いはセンサーデバイス）、集積回路（例えば、通信チップ）、又はプログラム等において、利用することができる。
【符号の説明】
【０１６０】
１（１Ａ、１Ｂ、１Ｃ）  端末装置
３  基地局装置
１０、３０  無線送受信部
１１、３１  アンテナ部
１２、３２  ＲＦ部
１３、３３  ベースバンド部
１４、３４  上位層処理部
１５、３５  媒体アクセス制御層処理部
１６、３６  無線リソース制御層処理部
【図１】
2018199240.tif 000003
【図２】
2018199240.tif 000004
【図３】
2018199240.tif 000005
【図４】
2018199240.tif 000006
【図５】
2018199240.tif 000007
【図６】
2018199240.tif 000008
【図７】
2018199240.tif 000009
【図８】
2018199240.tif 000010
【図９】
2018199240.tif 000011
【図１０】
2018199240.tif 000012
【図１１】
2018199240.tif 000013
【図１２】
2018199240.tif 000014
【図１３】
2018199240.tif 000015
【国際調査報告】
2018199240.tif 000016
2018199240.tif 000017
2018199240.tif 000018
2018199240.tif 000019